【事件の表示】
　上記当事者間の特許第２６２５２５５号「非圧縮性ピボットを備えたシザー端部が捕獲された折畳み可能なキャノピー骨組構造体」の特許無効審判事件についてされた平成２３年１１月　７日付け審決に対し、東京高等裁判所において審決取消の判決（平成２３年（行ケ）第１０４３２号平成２４年１０月２５日判決言渡）があったので、さらに審理のうえ、次のとおり審決する。
【結　論】
　訂正を認める。
　本件審判の請求は、成り立たない。
　審判費用は、請求人の負担とする。
【理　由】
第１．手続の経緯
・平成３年１２月２３日に出願（優先権主張平成３年１月４日）
・平成９年４月１１日に特許権の設定登録
・平成２０年１１月６日に請求人（富士見産業株式会社）よりその請求項１〜１３に係る発明について特許無効審判請求
・平成２１年３月３日に被請求人（ケーディー　キャノピー，インク外１名）より答弁書提出及び訂正請求（請求項２の削除，ほか）
・同年４月１６日に請求人より弁駁書（１）提出
・同年６月３０日に請求人より口頭審理陳述要領書及び上申書が，同日に被請求人より口頭審理陳述要領書及び上申書それぞれ提出
・同日に第１回口頭審理
・平成２１年７月１４日付けで被請求人より，また，同年月３０日付けで請求人より，それぞれ再度，上申書提出
・同年９月７日付けで，特許無効の審決（１次審決，訂正は認容）
（この時点で，本件特許明細書は，平成２１年３月３日付けの訂正請求のうち「請求項２を削除する」という訂正が，部分的に確定）
・被請求人が審決取消し訴訟（平成２２年（行ケ）第１００１１号）提起後，平成２２年３月４日付けで訂正審判請求
・同年３月２９日付けで審判差し戻し決定
・同年８月３０日付けで被請求人が訂正請求（請求項４，５，１０，１１，１２，及び１３の削除，ほか）
・同年１０月１３日付けで請求人より弁駁書（２）提出
・同年１０月２９日付けで当審より訂正拒絶理由通知
・同年１２月２２日付けで被請求人が意見書提出及び訂正請求書を補正する旨の手続補正
・平成２３年２月１０日付けで，特許無効の審決（２次審決，請求項の削除に係る訂正認容，その他の訂正は不認容）
（この時点で，本件特許明細書は，平成２２年８月３０日付けの訂正請求のうち訂正事項３乃至４及び９乃至１２についての訂正，すなわち，「請求項４，５，１０，１１，１２，及び１３を削除する」という訂正が，さらに部分的に確定）
・被請求人が審決取消し訴訟（平成２３年（行ケ）第１０１１７号）提起後，平成２３年４月１２日付けで訂正審判請求
・同年６月２３日付けで審判差し戻し決定
・同年７月１９日付けで被請求人が訂正請求（以下「本件訂正請求」という。）
・同年７月２５日付けで被請求人が訂正請求書を補正する手続補正
・同年８月３０日に請求人より弁駁書（３）提出
・同年１１月７日付けで，特許無効の審決（３次審決，訂正認容）
・被請求人が審決取消し訴訟（平成２３年（行ケ）第１０４３２号）を提起し，知的財産高等裁判所は，平成２４年１０月２５日付けで，平成２３年１１月７日付けでした審決を取り消す旨の判決言渡し
　
第２．本件訂正請求について
　
１．本件訂正請求
　請求人は，本件訂正請求により，特許第２６２５２５５号（以下「本件特許」という。）の明細書（以下「本件特許明細書」という。）を，本件訂正請求の訂正請求書に添付した訂正明細書のとおり訂正することを求めた。
　そのうちの請求項１，３及び６〜９について訂正を求めた内容は，以下のとおりである。
　なお，本件特許明細書は，請求項２，４〜５及び１０〜１３を削除する訂正が，部分的に確定している。
　
２．訂正内容
　
（１）請求項１についての訂正
【請求項１】を，
「折畳まれ，そして折畳まれた状態で保管され，そして支持面上に展開された状態で組みたてられるようになった展開可能な骨組構造体であり，前記支持面の上方にキャノピーカバーを支持することができる骨組構造体において，
（ａ）各々が支持面上に配置可能な下端部と，前記下端部と反対側の上端部とを有する複数個の直立した支持部材を備え，前記支持部材は折畳まれた状態で相互に相並ぶように向けられ，そして展開状態に向かって相互に離れて外方に移動可能であり，各支持部材は断面矩形状であり，さらに，
（ｂ）複数個の端縁シザー組立体を備え，一つの端縁シザー組立体が前記支持部材のうちの隣接した支持部材を相互に連結し，各々の前記端縁シザー組立体が１対の外側上端部および１対の外側下端部を有し，前記端縁シザー組立体は開閉するように作用可能であり，それにより前記骨組構造体は展開状態と収縮状態との間を移動することができ，展開状態において前記端縁シザー組立体の外側側面全体が前記キャノピーカバーで覆われ，各々の前記端縁シザー組立体は上端部及び下端部において相互に連結されたシザーユニットにより構成され，前記シザーユニット間の連結部は構造を補強するための更なる直立した支持部材により前記支持面上に支持されておらず，前記骨組構造体全体が展開状態において４個の直立した支持部材によってのみ支持されており，さらに，
（ｃ）前記の直立した支持部材上に配置されかつ前記端縁シザー組立体を前記支持部材に締め付けるように作用する複数個のマウントを備え，該各マウントは前記支持部材が嵌合される断面矩形状の中空部が形成された収容部を備え，前記マウントの各々は，隔置された平行な側壁部分により形成され，互いに直交する一対のソケットを有し，該一対のソケットの側壁部分はそれぞれ前記収容部の前記中空部を囲う側壁に平行であり，前記端縁シザー組立体の各々はその平行な向き合った側壁部分の間に締り嵌め係合されるように前記ソケットのうちのそれぞれの１個のソケット内に受け入れられる長方形横断面の外側端部を有し，それにより前記の平行な側壁部分と共に平面状の接触面を形成し，さらに，
（ｄ）前記端縁シザー組立体の各々の外側端部をそれぞれのソケット内に枢動可能に固定する締付ピンを備え，前記平行な側壁部分と接触する前記外側端部表面に突起が存在せず，前記端縁シザー組立体を構成するシザーバーは中空部を備える管状構造であり，
（ｅ）１対の前記マウントが前記の直立した支持部材の各々の上に配置され，前記の１対のマウントの一方が固定マウントであり，そして前記の１対のマウントの他方がスライドマウントであり，前記スライドマウントが前記の直立した支持部材に滑動可能に固定されかつそれぞれの前記端縁シザー組立体が開閉するときに前記支持部材に沿って前記固定マウントに近い位置と前記固定マウントから遠い位置との間に移動可能であり，
（ｆ）前記固定マウントに一対のソケットが直交して形成され，該一対のソケットの各々において平行な側壁部分は，その上端部において水平な壁部で相互に連結され，前記スライドマウントに一対のソケットが直交して形成され，該一対のソケットの各々において平行な側壁部分は，その下端部において水平な壁部で相互に連結され，
（ｇ）前記固定マウントの各々は，それぞれ直交する一対のソケットの中央部に，隔置された平行な側壁部分により形成される中央部のソケットを有し，該中央部のソケットは前記側壁部分を連結する水平な壁部を有さず，
（ｈ）前記マウントは前記骨組構造体が展開し，そして収縮するときに前記端縁シザー組立体を開閉させるように相互に関して相対移動可能であり，一方ソケットの平行な側壁部が平面状の接触面に沿って外側端部に作用して前記端縁シザー組立体の横方向のたわみおよびねじりによるたわみを阻止し，
（ｉ）前記の固定マウントの前記収容部が，前記支持部材に沿って前記スライドマウントの方向に向かってすべての前記ソケットを超えて延び出しており，
（ｊ）骨組構造体が展開状態にあるときに前記の直立した支持部材により支持面の上方に支持されるルーフ支持組立体を含み，前記ルーフ支持組立体が前記キャノピーカバーを支持するように作用し，前記ルーフ支持組立体が頂点を形成するためにその近位置端部において相互に枢動可能に連結され，かつ展開状態にあるとき相互に離れて半径方向に外方に延びる複数個のルーフ支持部材を含み，各々のルーフ支持部材がその遠位置端部において前記の直立した支持部材上の前記固定マウントの中央部ソケットに枢動可能に連結されており，
（ｋ）支持部材の前記下端部各々が，前記固定マウント及び前記スライドマウントとは別部材であり，貫通孔を有して前記支持面と係合するプレート状部材を備える骨組構造体。」と訂正する。（以下「訂正事項１」という。）
　
（２）請求項３についての訂正
【請求項３】を【請求項２】に繰り上げ，引用する請求項を請求項１に訂正する。（以下「訂正事項２」という。）
　
（３）請求項６についての訂正
【請求項６】を【請求項３】に繰り上げ，引用する請求項を請求項１に訂正する。（以下「訂正事項３」という。）
　
（４）請求項７についての訂正
【請求項７】を【請求項４】に繰り上げ，引用する請求項を請求項１に訂正する。（以下「訂正事項４」という。）
　
（５）請求項８についての訂正
　【請求項８】を【請求項５】に繰り上げる。（以下「訂正事項５」という。）
　
（６）請求項９についての訂正
　【請求項９】を【請求項６】に繰り上げ，引用する請求項を請求項５に訂正する。（以下「訂正事項６」という。）
　
３．本件訂正請求の適否
　
訂正事項１
　上記訂正事項１は，訂正前の請求項１に記載された発明を下位概念化又は構成要件の直列的付加により，その内容を限定するものであるから，特許請求の範囲の減縮を目的とするものに該当する。
　そして，上記訂正事項１は，本件特許明細書又は図面に記載した事項の範囲内においてするものであって本件特許明細書等のすべての記載を総合することにより導かれる技術的事項との関係において，新たな技術的事項を導入するものではない。
　また，上記訂正事項１は，実質上特許請求の範囲を拡張し，又は変更するものでもない。
　
訂正事項２〜６
　訂正事項２〜６は，訂正前の請求項の番号を繰り上げるものであって，請求項に付す番号を記載する順序により連続番号とするものであるから，明りょうでない記載の釈明を目的とするものに該当する。
　
４．結論
　以上のとおりであるから，本件訂正は，平成６年改正前特許法第１３４条第２項ただし書に適合し，特許法１３４条の２第５項において準用する平成６年改正前第１２６条第２項の規定に適合するので，当該訂正を認める。
　
第３．請求人の主張
　請求人は，本件特許の請求項１〜６に係る発明についての特許を無効とする，審判費用は被請求人の負担とする，との審決を求め，その理由として，本件特許の請求項１〜６に係る発明は，本件優先権主張日前に頒布された甲第１号証〜甲第１２号証に記載された発明に基づいて当業者が容易に発明をすることができたものである，本件特許の訂正前の請求項１３について，特許を受けようとする発明が不明確であるとの理由から，本件特許は無効とすべきものであると主張し，証拠方法として甲第１号証ないし甲第１３号証を提出している。
　
甲第１号証：実願昭６２−１５７９５２号（実開平１−６１３７０号）のマイクロフィルム
甲第２号証：特開平１−１４２１８３号公報
甲第３号証：米国特許第４６４１６７６号公報
甲第４号証：実願昭５７−９１５８０号（実開昭５８−１９５５５３号）のマイクロフィルム
甲第５号証：特開昭４８−２９２１２号公報
甲第６号証：実公昭１７−１３４１５号公報
甲第７号証：特開昭５２−４６６１６号公報
甲第８号証：実願昭６３−１４５４８９号（実開平２−６６１４１号）のマイクロフィルム
甲第９号証：実願平１−５５１０号（実開平２−９６９３３号）のマイクロフィルム
甲第１０号証：実公昭３８−２８６０号公報
甲第１１号証：実公昭３８−１６７４号公報
甲第１２号証：特開昭５７−８０９６７号公報
甲第１３号証（弁駁書（２）と同時に提出）：米国特許第４７７９６３５号公報
（以下，「甲１」，「甲２」・・・という。）
　
第４．被請求人の主張
　一方，被請求人は，訂正請求をするとともに，本件無効審判の請求は成り立たない，審判費用は請求人の負担とする，との審決を求め，訂正した本件特許の請求項１〜６に係る発明は，甲１ないし甲１３に記載された発明に基づいて当業者が容易に発明をすることができたものではない等，請求人の主張にはいずれも理由がないと主張し，証拠方法として乙第１号証〜乙第４号証を提出している。
　
乙第１号証：「モールド一覧表」と題する製品リスト，２００９年２月２日，白石徳宏作成
乙第２号証：株式会社ロゴスコーポレーションのカタログの写し
乙第３号証（平成２２年１２月２２日付けの意見書と同時に提出）：イージーアップ・テント総合カタログＶｏｌ．８　２０１０年１月１日。第０５，１８頁
乙第４号証（本件訂正請求と同時に提出）：株式会社ニューテックジャパンの「パーツ交換　価格表」の写し
　
第５．本件特許発明
　本件特許の各請求項に係る発明（以下「本件特許発明１」等という。）は，上記のとおり訂正が認められたため，特許明細書（訂正明細書）の特許請求の範囲の，以下の各請求項に記載された事項により特定される，次のとおりのものと認める。
　
【請求項１】
折畳まれ，そして折畳まれた状態で保管され，そして支持面上に展開された状態で組みたてられるようになった展開可能な骨組構造体であり，前記支持面の上方にキャノピーカバーを支持することができる骨組構造体において，
（ａ）各々が支持面上に配置可能な下端部と，前記下端部と反対側の上端部とを有する複数個の直立した支持部材を備え，前記支持部材は折畳まれた状態で相互に相並ぶように向けられ，そして展開状態に向かって相互に離れて外方に移動可能であり，各支持部材は断面矩形状であり，さらに，
（ｂ）複数個の端縁シザー組立体を備え，一つの端縁シザー組立体が前記支持部材のうちの隣接した支持部材を相互に連結し，各々の前記端縁シザー組立体が１対の外側上端部および１対の外側下端部を有し，前記端縁シザー組立体は開閉するように作用可能であり，それにより前記骨組構造体は展開状態と収縮状態との間を移動することができ，展開状態において前記端縁シザー組立体の外側側面全体が前記キャノピーカバーで覆われ，各々の前記端縁シザー組立体は上端部及び下端部において相互に連結されたシザーユニットにより構成され，前記シザーユニット間の連結部は構造を補強するための更なる直立した支持部材により前記支持面上に支持されておらず，前記骨組構造体全体が展開状態において４個の直立した支持部材によってのみ支持されており，さらに，
（ｃ）前記の直立した支持部材上に配置されかつ前記端縁シザー組立体を前記支持部材に締め付けるように作用する複数個のマウントを備え，該各マウントは前記支持部材が嵌合される断面矩形状の中空部が形成された収容部を備え，前記マウントの各々は，隔置された平行な側壁部分により形成され，互いに直交する一対のソケットを有し，該一対のソケットの側壁部分はそれぞれ前記収容部の前記中空部を囲う側壁に平行であり，前記端縁シザー組立体の各々はその平行な向き合った側壁部分の間に締り嵌め係合されるように前記ソケットのうちのそれぞれの１個のソケット内に受け入れられる長方形横断面の外側端部を有し，それにより前記の平行な側壁部分と共に平面状の接触面を形成し，さらに，
（ｄ）前記端縁シザー組立体の各々の外側端部をそれぞれのソケット内に枢動可能に固定する締付ピンを備え，前記平行な側壁部分と接触する前記外側端部表面に突起が存在せず，前記端縁シザー組立体を構成するシザーバーは中空部を備える管状構造であり，
（ｅ）１対の前記マウントが前記の直立した支持部材の各々の上に配置され，前記の１対のマウントの一方が固定マウントであり，そして前記の１対のマウントの他方がスライドマウントであり，前記スライドマウントが前記の直立した支持部材に滑動可能に固定されかつそれぞれの前記端縁シザー組立体が開閉するときに前記支持部材に沿って前記固定マウントに近い位置と前記固定マウントから遠い位置との間に移動可能であり，
（ｆ）前記固定マウントに一対のソケットが直交して形成され，該一対のソケットの各々において平行な側壁部分は，その上端部において水平な壁部で相互に連結され，前記スライドマウントに一対のソケットが直交して形成され，該一対のソケットの各々において平行な側壁部分は，その下端部において水平な壁部で相互に連結され，
（ｇ）前記固定マウントの各々は，それぞれ直交する一対のソケットの中央部に，隔置された平行な側壁部分により形成される中央部のソケットを有し，該中央部のソケットは前記側壁部分を連結する水平な壁部を有さず，
（ｈ）前記マウントは前記骨組構造体が展開し，そして収縮するときに前記端縁シザー組立体を開閉させるように相互に関して相対移動可能であり，一方ソケットの平行な側壁部が平面状の接触面に沿って外側端部に作用して前記端縁シザー組立体の横方向のたわみおよびねじりによるたわみを阻止し，
（ｉ）前記の固定マウントの前記収容部が，前記支持部材に沿って前記スライドマウントの方向に向かってすべての前記ソケットを超えて延び出しており，
（ｊ）骨組構造体が展開状態にあるときに前記の直立した支持部材により支持面の上方に支持されるルーフ支持組立体を含み，前記ルーフ支持組立体が前記キャノピーカバーを支持するように作用し，前記ルーフ支持組立体が頂点を形成するためにその近位置端部において相互に枢動可能に連結され，かつ展開状態にあるとき相互に離れて半径方向に外方に延びる複数個のルーフ支持部材を含み，各々のルーフ支持部材がその遠位置端部において前記の直立した支持部材上の前記固定マウントの中央部ソケットに枢動可能に連結されており，
（ｋ）支持部材の前記下端部各々が，前記固定マウント及び前記スライドマウントとは別部材であり，貫通孔を有して前記支持面と係合するプレート状部材を備える骨組構造体。
　
【請求項２】
請求の範囲第１項に記載の展開可能な骨組構造体において，それぞれの前記スライドマウントをそのそれぞれの前記固定マウントに近い位置において釈放可能に締め付けるために前記の直立した支持部材と組み合わされたラッチ装置を含む骨組構造体。
　
【請求項３】
請求の範囲第１項に記載の展開可能な骨組構造体において，各々の前記ルーフ支持部材が前記骨組構造体が折畳まれた状態にあるときの引っ込められた状態と前記骨組構造体が展開された状態にあるときの伸張した状態との間に移動可能な１対の伸張可能な部分を含み，そして前記の伸張可能な部分を伸張した状態に釈放可能に保持するルーフ支持部材ラッチ装置を含む骨組構造体。
　
【請求項４】
請求の範囲第１項に記載の展開可能な骨組構造体において，１対の前記マウントが前記の直立した支持部材の各々の上に配置され，前記の１対のマウントの一方が固定マウントであり，そして前記の１対のマウントの他方がスライドマウントであり，前記スライドマウントが前記の直立した支持部材に滑動可能に固定されかつそれぞれの前記端縁シザー組立体が開閉するときに前記支持部材に沿って前記固定マウントに近い位置と前記固定マウントから遠い位置との間に移動可能であり，そして前記ルーフ支持部材の各々がそれぞれの固定マウントに枢動可能に連結され，そして第１片持端部において前記伸張可能な部分の一方と枢動可能に連結されかつ前記第１片持端部と反対側の第２片持端部においてそれぞれの前記の隅の支持部材上のスライドマウントと枢動可能に連結された片持部分を含む骨組構造体。
　
【請求項５】
請求の範囲第１項に記載の展開可能な骨組構造体において，前記端縁シザー組立体の各々が端と端とをつなぐ関係で内側の上端部および下端部において連結された１対のシザーユニットを含み，前記端縁シザー組立体の各々がそれぞれのシザーユニットの内側の上端部および下端部を枢動可能に連結するためにそれぞれ作用する上側浮動マウントおよび下側浮動マウントを含み，前記上側浮動マウントおよび下側浮動マウントの各々が隔置された平行な側壁部分によりそれらの内部に形成された複数個のソケットを有し，前記シザーユニットの内側端部の各々がその向き合った側壁部分の間に締り嵌め係合するように前記ソケットのうちのそれぞれのソケット内に受け入れられた長方形横断面を有し，かつソケットの平行な側壁部分が前記シザーユニットの横方向のたわみおよびねじりによるたわみを阻止する間に前記シザーユニットの各々の内側端部をそれぞれのソケット内に枢動可能に固定する締付ピンを含む骨組構造体。
　
【請求項６】
請求の範囲第５項に記載の展開可能な骨組構造体において，骨組構造体が展開状態にあるときに前記の直立した支持部材により支持面の上方に支持されるルーフ支持組立体を含み，前記ルーフ支持組立体が前記キャノピーカバーを支持する作用をする骨組構造体。
　
第６．甲各号証の記載事項
１．甲１：実願昭６２−１５７９５２号（実開平１−６１３７０号）のマイクロフィルム
　甲１には，「伸縮瞬間わく組立家屋結構」に関する発明が記載されており，図面とともに以下の記載がある。
（１−１）明細書第５頁第１２行〜第６頁第３行
「サイドバーの巧妙な設計により交互に交叉式または取揃支え式を組合わせ，必要により入口のところを揃えて上昇し，その上昇面をして単面から四面全部に及び，製造時に先ず人々の出入り及び本考案の適用対象をプラスするように設定することができる，それには次のような優点がある：
１．一体成型で，運搬携帯に便利。
２．わく組立と折畳み操作が簡易で省時省力。
・・・
４．任意に移位可能で定位できる。
５．風に吹き倒されるおそれがない。」
（１−２）明細書第６頁第１０行〜第７頁第１０行
「第４図で示すように，本考案は数本の主支柱（１），サイドバー（５），下活動支えバー軸体（３），上固定支えバー軸体（４），屋根支えバー（７），槽鉄関節（６），屋根フレーム押上バー（９）及び屋根受梁軸（８）により組成される，主支柱（１）は角型または円型柱体で，上端に一つの上止め孔（１２）を設けて活動挿ピン（１３）を主体（１）の上止め孔に挿入するのに提供し，並びにそれにより下活動支えバー軸体（３）を滑り下りないように固定する（第１６図参照），その主支柱（１）の下端に数ヶの下止め孔（１１）を設け，その主支柱（１）の空心のところに一本の伸縮支柱（２）を設けている，上方も同じように数ヶの止め孔（２２）を設け，その止め孔の作用は伸縮支柱（２）が主支柱（１）内から適当な長さに伸出した時に活動挿ピンを挿入して主支体（１）上の下止め孔（１１）に固定し，全体の高度を上昇し並びに固定する，その伸縮支柱（２）下端は一つの底台片（２１）を溶接固定して全体の安定を強化している（第１１，１２図参照）；」
（１−３）明細書第７頁第１１行〜第８頁第７行
「主支柱（１）上にはめている下活動支えバー軸体（３）は一本の角型または円型の空心柱（第１５，１６図）で兩端は開き口であり，下端には二つの下サイドバー固定軸片（３２）を設け，その兩軸はサイドバー（５）の一端と互いに結合し，別途にその兩軸片（３２）夾角の中央上方に一つの屋根押上バー固定軸片（３１）を設けている，その軸片と屋根押上バーの一端を結合し，その下活動支えバー軸体（３）の中間の空心部分を主支柱（１）上にはめて，サイドバー（５）の伸張及び収縮が上下滑動をなすように配慮し，本体が最大まで伸張した時に活動挿ピン（１３）を支柱上の止め孔（１２）まで挿入して，而して下活動支えバー軸体（３）をくい止め固定し，並びに下活動支えバー軸体（３）が滑り下ち，全体が変形または収縮（第１７図参照）するのを防止している；」
（１−４）明細書第８頁第８〜１６行
「上固定支えバー軸体（４）は一角型または円型空心柱（第１４図参照）で，上方に二つの上サイドバー固定軸片（４２）を設け，その兩軸片とサイドバー（５）の一端を結合している，その兩軸片（４２）の夾角中央の下方に一つの屋根支えバー固定軸片（４１）を設け，その軸片と屋根支えバー（７６）の一端を互いに結合し，その上固定支えバー軸体（４）を主柱（１）上端に固定している；」
（１−５）明細書第８頁第１７行〜第９頁第８行
「サイドバー（５）は交叉式または取揃式で混合使用し（第４，５，６図参照），その巧みな設計はその需要によりそれを揃って上昇し，こうすることにより人々の出入りを尚更便利にしている，交叉式は（５ａ）（５ｂ）で組合せ，取揃式は（５ｃ）（５ｄ）を一つの槽鉄（６）を利用して一水平状になように連接し，一本の押上バー（５１）を加えて組成している，兩端はそれぞれ上固定支えバー軸体（４）の上サイドバー固定軸片（４２）及び下活動支えバー軸体（３）の下サイドバー固定軸片（３２）上に固定している；」
（１−６）明細書第９頁第９〜１８行
「屋根部分は屋根支えバー（７ａ）（７ｂ）及び屋根フレーム押上バー（９）で組成し，屋根支えバー（７ａ）（７ｂ）は一つの槽鉄（６）で連結して，前後端をそれぞれ中心の屋根梁受軸（８）の屋根フレーム固定軸片（８１）に固定している，他端は上固定支えバー軸体（４）の屋根支えバー固定軸片（４１）上に固定され，その屋根梁受軸（８）の中心は円型またはその他の形状で，その周囲に数個の屋根支軸固定軸片（８１）を設け（第１８図参照）ている；」
（１−７）明細書第９頁第１９行〜第１０頁第７行
「屋根フレーム押上バー（９）の兩端はそれぞれ下活動支えバー軸体（３）の屋根押上バー固定軸片（３１）及び屋根支えバー（７６）の中間の適当な位置（９１）に固定され，その押上バー（９）の目的は屋根支えバーを支える外に，更に全体の伸張及び収縮にプラスしている，全体を連結したところはボルトまたはリベットにワシヤーを加えて連結し，各連結点は角回転できるようになっている。」
（１−８）明細書第１２頁第２行〜第１４頁第９行
「４．図面の詳細な説明
　第１図は本考案実施例にテントをかぶせた立体外観図。
　第２図は本考案実施例に屋根だけをはめた立体外観図。
　第３図は本考案実施例の一部分のサイドバーを取揃えて上昇し，屋根をはめた立体外観図。
　第４図は本考案実施例のサイドバー全部が交叉式で組合せた展開立体外観図。
　第５図は本考案実施例のサイドバー全部が取揃え上昇式で組み合わせて展開立体外観図。
　第６図は本考案実施例のサイドバーを交叉と取揃え上昇式で混合組成した展開立体外観図。
　・・・
　第１１図は本考案実施例の下伸縮支柱分解立体外観図。
　第１２図は本考案実施例の第１１図における伸縮支柱活動挿ピンの部分解剖面立体図。
　・・・
　第１４図は本考案実施例の主支柱上方に固定された固定フレーム捻り軸の立体外観図。
　第１５図は本考案実施例を主支柱上の下活動フレーム捻り軸にはめた立体外観図。
　第１６図は本考案実施例の主支柱上活動挿ピン及び下活動フレーム捻り軸分解立体外観図。
　第１７図は本考案実施例第１６図の中，主柱の活動挿ピン及び下活動フレーム捻り軸組合せ立体外観図。
　第１８図は本考案実施例第４，５，６，１０図の中屋根フレームの中心を梁受軸に連接した立体外観図。」
（１−９）図面に記載された事項
（ａ）明細書の上記各記載を参酌して第４図を見ると，わく組立家屋構造が，主支柱１とその下部に固定された伸縮支柱２からなる４本の支柱により支持されていることがわかる。同じく，２つの交叉式サイドバー５ａ，５ｂの上端部及び下端部がそれぞれ連結され，連結された２つの交叉式サイドバーが支柱を相互に連結しているが，２つの交叉式サイドバーの連結部分は支柱には支持されていないことがわかる。
（ｂ）同様に第２図及び第４図を見ると，テントをかぶせた状態で，連結された２つの交叉式サイドバー全体がテントに覆われていることがわかる。
（ｃ）同様に第１１，１２図を見ると，伸縮支柱２の下端に設けられた底台片２１が貫通孔を有するプレート状の部材であることがわかる。また，底台片２１が，上固定支えバー軸体４及び下活動支えバー軸体３と別部材であることは明らかである。
（ｄ）同様に第１４図を見ると，互いに直角な２つの上サイドバー固定軸片４２が長方形の横断面を有し，それぞれが，角型空心柱状の上固定支えバー軸体４の側壁に平行に突出した突出片であり，該上サイドバー固定軸片４２とボルトまたはリベットで固定される交叉式サイドバーの端部が隔置された平行な側壁部分を有し，上サイドバー固定軸片４２が該隔置された平行な側壁部分に挿入されることにより両部材が面接触していることがわかる。同じく，屋根支えバーの端部が隔置された平行な側壁部分を有するとともに該側壁部分を連結する水平な壁部を有さず，屋根支えバー固定軸片４１が該隔置された平行な側壁部分に挿入されることにより両部材が面接触していることがわかる。
（ｅ）同様に第１５図を見ると，互いに直角な２つの下サイドバー固定軸片３２が長方形の横断面を有し，それぞれが，角型空心柱状の下活動支えバー軸体３の側壁に平行に突出した突出片であり，該下サイドバー固定軸片３２とボルトまたはリベットで固定される交叉式サイドバーの端部が隔置された平行な側壁部分を有し，下サイドバー固定軸片３２が該隔置された平行な側壁部分に挿入されることにより両部材が面接触していることがわかる。
　
２．甲２：特開平１−１４２１８３号公報
　甲２には，「天蓋構造物」に関する発明が記載されており，図面とともに以下の記載がある。
（２−１）第５頁左下欄第１６行〜右下欄第４行
「本発明は迅速に組立てられる天蓋構造物であつて天蓋カバー及び天蓋カバーを臨時遮蔽物として取付けて位置決めする天蓋骨組ユニツトを有するものに指向される。従つて，本発明は，コンパクトな折畳まれた状態で保管され，しかも，天蓋カバーが日陰及び／または雨に対する保護を提供する大きい表面積を遮蔽するように迅速且つ容易に拡張状態に組立てられる天蓋組立体を形成するのに有用である。」
（２−２）第５頁右下欄第５〜１３行
「第１図において，天蓋構造物１０は拡張状態で図示され，そしてその主要素として天蓋カバー１２と天蓋骨組ユニツト２０とを有する。天蓋カバー１２は中心頂片１４を有し，そして天蓋カバー１２は複数の上パネル１６と複数の側パネル１８とを有する。天蓋カバー１２は複数のコーナー支持部材２２を有する天蓋骨組ユニツト２０によつて支持される。第１図において，天蓋構造物１０はその拡張状態で示されている。」
（２−３）第５頁右下欄第１４行〜第６頁左上欄第１４行
「天蓋骨組ユニツト２０の構造は第２図及び第３図を参照すると最も明快に理解される。これら図面において示されるように，天蓋骨組ユニツト２０は４本のコーナー支持部材２２を有し，各コーナー支持部材は上伸線部材２４と下伸縮部材２６とを有し，これら上下伸縮部材は，当業者によつて知られているように，第４図に図示されるごときボタンラツチ２７によつて選択相対伸縮位置に固定され得る。各伸縮部材２４，２６は方形横断面を有する管であることが好ましい。かくして，コーナー支持部材２２は天蓋構造物１０の幾何学的形状の端縁を画成する。従つて，第１図−第６図は概ね立方形の構造を有する天蓋構造体１０を説明するが，その他の幾何学的形状のそれも本発明の範囲内に包含されると理解さるべきである。天蓋骨組ユニツト２０は支持面上に静止するようにされる。従つて，各コーナー支持部材２２は下端２８に配置される足３０において終端する。足３０は各コーナー支持部材２２が支持面に対して概ね直立する垂直位置に定向されるようにして支持面上に静止する。」
（２−４）第６頁左上欄第１５行〜右上欄第１４行
「複数の屋根支持部材４０が設けられ，各屋根支持部材４０は各コーナーポスト即ちコーナー支持部材２２の上端３２から延びて頂点部分５０において終端する。各隣接コーナー支持部材２２はシザース交差組立体６０の形式にされた束縛支持手段によつて相互連結され，シザース交差組立体６０は垂直面に定向されておりそして接端関係に結合された１対のシザースユニツト６２を有する。各シザースユニツト６２は第１と第２の交差片６４，６６によつて形成される。交差片６４，６６はそれらの中点において互いに枢動自在に結合されている。各シザース交差組立体６０の上部分は，そのコーナー支持部材２２のおのおのにその上端３２において結合されている。さらに，各シザース交差組立体６０の下部分は各コーナー支持部材２２に摺動自在に嵌合されたすべりブラケツト３４と結合されている。カンチレバー部材７０が，後にさらに詳細に説明されるように，各すべりブラケツト３４と関連屋根支持部材４０との間に延在する。」
（２−５）第６頁右上欄第１５行〜左下欄第１３行
「コーナー支持部材２２及び対応する屋根支持部材４０から構成される各セツトは，全く同一のものとして組立てられる。従つて，説明目的のため，単に一つのそのような組立体に関する説明が第３図を参照して詳細に為される。第３図において，コーナー支持部材２２の上端３２は，プラスチツクから成る端キヤツプ３３によつて閉鎖されて図示される。Ｕ形ブラケツト３６がコーナー支持部材２２にその上端３２において取付けられ，そして第１のＬ形ブラケツト３８が前記Ｕ形ブラケツト３６に隣接してコーナー支持部材２２に結合されている。すべりブラケツト３４が摺動自在にコーナー支持部材２２に嵌装されており，そして第２のＵ形ブラケツト３７及び第２のＬ形ブラケツト３９がともにすべりブラケツト３４に結合されている。既に述べたように，シザースユニツト６２の交差片６４，６６はそれぞれピン６５，６７によつてＬ形ブラケツト３８，３９に枢動自在に結合されている。」
（２−６）第６頁左下欄第１４行〜右下欄第６行
「屋根支持部材４０は１対の伸縮部材から構成されており，該伸縮部材は好ましくは内伸縮部材４２と，内伸縮部材４２を伸縮可能に受容する該伸縮部材４４との形式にされている。屋根支持部材４０は頂点部分５０へ向かつて半径方向内方へ突出し，それにより，屋根支持部材４０の内端即ち第１端は後に説明されるように頂点部分５０に枢動自在に結合され得る。屋根支持部材４０の外端即ち第２端は前記外伸縮部材４４内に嵌合されてそれに固定される下ドグレグ腕４６によつて形成される。下ドグレグ腕４６の他端はピン４７によつてＵ形ブラケツト３６に枢動自在に結合されている。」
（２−７）第６頁右下欄第７行〜第７頁左上欄第１０行
「下ドグレグ腕４６とは反対位置のその端において該伸縮部材４４は下方へ突出するＵ形ブラケツト４８を有する。カンチレバー部材７０が一端においてピン４９によつてＵ形ブラケツト４８に枢動自在に結合され，そして他端においてピン４１によつてＵ形ブラケツト３７に枢動自在に結合されている。従つて，屋根支持部材４０はピン４７を中心としてコーナー支持部材２２に対して下方へ枢動することが理解さるべきである。かくのごとき枢動が生じたときは，すべりブラケツト４７は下方へ運動し，従つて，カンチレバー部材７０は，屋根支持部材４０がコーナー支持部材２２の側腹に沿う至近離間平行関係に定向されるように枢動する。下ドグレグ腕４６はＵ形ブラケツト３７の幅及びカンチレバー部材７０の幅を屋根支持部材４０とコーナー支持部材２２との間に収容するための片寄りを確立するために設置されることが理解されるであろう。内及び外伸縮部材４２，４４を第３図に図示されるごとき伸張位置に確保するため，ボタンラツチ・嵌合穴装置４５の形式にされたラツチ手段が設けられる。ボタンラツチが内及び外伸縮部材の一方に配置され，そして嵌合穴が他方の伸縮部材に配置されることは，当業者に既知である標準装置の場合と同じである。」
（２−８）第７頁左上欄第１１行〜右上欄第５行
「既に言及されたように，頂点部分５０はコーナー支持部材２２から遠い屋根支持部材４０の端に配置される。頂点部分５０は中心柱組立体５２を有し，中心柱組立体５２は４対の耳５５を提供する交差ブラケツト５４を有する。かくして，屋根支持部材４０の内伸縮部材４２の端部はピン５６によつて１対の耳５５の間に枢動自在に結合される。前記端部は上ドグレグ部分４３において終端する。中心柱組立体５２はドーム形のヘツド５９を有する上部材５８を有する。上部材５８はばね７４によつて上外方へ偏圧される上部材５８のためのハウジングを形成する下部材７２内に伸縮自在に嵌合されている。しかし，上部材５８は下部材７２からのその脱出を防止するためにスロツト７７内に収容されたポスト７６を有する。」
（２−９）第７頁左下欄第１３行〜右下欄第１７行
「次に天外蓋構造物１０の拡張並びに収縮は，第２図−第５図を参照することによつてより十分に理解され得る。第２図及び第３図に示される直立状態即ち拡張状態においては，シザース交差組立体６０のおのおのは最大開放位置に在りそして内及び外伸縮部材４２，４４は最大伸長位置に在つてボタンラツチ４５によつてラツチ止めされている。この位置において，屋根支持部材４０は共通平面Ｐに対して鋭角φを以て定向されている。使用者が天蓋構造物１０を折畳むことを欲するならば，使用者はボタンラツチ４５のおのおのを押圧し，その結果，内収縮部材４２のおのおのは外収縮部材４４内に摺動進入する。釈放されると同時に各屋根支持部材４０はそれぞれのコーナー支持部材２２へ向かつて下方へ枢動する。すべりブラケツト３４に対するカンチレバー部材７０の内部結合の故にすべりブラケツト３４はコーナー支持部材２２の下端２８へ向かつて下方へ運動する。すべりブラケツト３４はシザース交差組立体６０の下部分にＬ形ブラケツト３９において結合されているから，これによつて各シザース交差組立体６０は閉じさせられる。これを容易にするために，各シザースユニツト６２は，第２図に示されるように，それらの中心において互いにそれぞれ結合点６８，６９において枢動自在に結合されている。」
（２−１０）第７頁右下欄第１８行〜第８頁左上欄第１５行
「この下降運動即ち”折畳み”運動が続くのにともなつて，天叢構造物１０は第４図に示される位置へ移動される。この中間位置において，中心柱組立体５２はコーナー支持部材２２の下端２８の平面Ｑに隣接し，各コーナー支持部材２２，その関連する屋根支持部材４０及びカンチレバー部材７０は折畳み位置に在る。次いで，コーナー支持部材２２は互いに接近するごとく運動されて天蓋構造物１０をさらに折り畳み，遂に各コーナー支持部材２２と屋根支持部材４０との対は第５図に示される位置に達する。この位置において，各コーナー支持部材２２及びそのそれぞれの屋根支持部材４０及びカンチレバー部材７０は，互いに側腹に沿う至近離隔平行関係に在る。第５図と第６図とを参照すると，各上収縮部材４２の上ドグレグ部材４３は中心柱組立体５２，特にドーム形のヘツド５９を収容する開放区域８０を画成するように折り畳まれることが理解されるであろう。」
（２−１１）第８頁左上欄第１６行〜右上欄第１５行
「前記過程を逆転して天蓋構造物１０を組立てるためには，使用者は単にコーナー支持部材２２のおのおのを互いに離れるように運動させ，次に中心柱組立体５２をそれが共通平面Ｐを通過して屋根支持部材４０が部分的に延伸された完全拡張位置に上昇され得るまで持上げる。次いで，天蓋カバー１２が，中心頂片１４がヘツド５９上に定向されそして側パネル１８が各シザース交差組立体６０の垂直面に沿つて定向されるように，天蓋構造物１０上に位置される。この目的のために，側パネル１８及び上パネル１６は，各コーナー支持部材２２の上端３２を受容する複数のポケツト区域を形成することが理解さるべきである。側パネル１８のこれらポケツト区域のおのおのの内側に位置されるベルクロフアスナが，それらと組合うベルクロフアスナ３５に対して結合される。天蓋カバー１２を固定した後，次いで使用者は各屋根支持部材４０を完全に延伸しそしてその関連ボタンラツチ４５をラツチ係合させて屋根支持部材４０を完全延伸位置に確保する。」
（２−１２）第９頁右上欄第９〜１８行
「第１図は本発明の好適実施例に従つた天蓋構造物の斜視図，第２図は第１図に示される天蓋構造物のための天蓋骨組ユニツトの斜視図，第３図は第２図に示される天蓋骨組ユニツトを構成する典型的コーナー支持部材及び屋根支持部材の上部分を示す側面図，第４図は拡張状態と折畳み状態との概ね中間状態における第２図に示される天蓋骨組ユニツトの側面図，第５図は折畳み状態における単一のコーナー支持部材及び屋根支持部材を示す側面図」
（２−１３）図面に記載された事項
（ａ）明細書の上記各記載を参酌して第２図（ＦＩＧ．２）を見ると，シザース交差組立体を構成する１対のシザースユニット６２は，それぞれの上端部及び下端部にある結合点６９で相互に連結されていること，シザースユニットの結合点６９はコーナー支持部材２２で支持されていないことがわかる。
（ｂ）同様に第２図（ＦＩＧ．２）及び第３図（ＦＩＧ．３）を見ると，シザース交差組立体６０の上部分及び下部分は，その端部でピン６５，６７によって第１及び第２のＬ形ブラケツト３８，３９にそれぞれ取り付けられていることがわかり，第１及び第２のＬ形ブラケツト３８，３９のそれぞれにはシザース交差組立体を枢動自在に結合する部分が一対設けられていることは明らかである。
（ｃ）同様に第１図（ＦＩＧ．１）を見ると，天蓋骨組ユニットの拡張状態において，天蓋カバー１２がシザース交差組立体６０の全体を覆っていることがわかる。
　
３．甲３：米国特許第４６４１６７６号公報
（訳文は，請求人提出のものを採用する。）
　甲３には，「COLLAPSIBLE CANOPY STRUCTURE」（（訳）「折り畳み可能なキャノピー構造体」）に関する発明が記載されており，図面とともに以下の記載がある。
（３−１）明細書第１欄第２６〜３９行
「SUMMARY OF THE INVENTION
 It is therefore an object of the present invention to provide a novel, useful and nonobvious portable shelter which may be stored in a relatively, compact state yet which is expandable to cover a large surface area.
 It is another object of the present invention to provide an inexpensive collapsible canopy shelter that may easily be erected by a single person.
 Yet another object of the present invention is to provide a portable canopy structure which is light in weight yet which can resist strong winds when erected.
 A further object of the present invention is to provide a portable canopy structure that is adjustable in height and which is designed for stability.」
（訳）「発明の概略
　従って本発明の目的は，比較的小型の状態で保管できるけれども広い地表を覆うために展開可能な，新規かつ有益で非自明な携帯用シェルターを提供することである。
　本発明の別の目的は，一人で容易に組立てられる安価な折畳み可能なキャノピーを提供することである。
　本発明のさらに別の目的は，軽量にもかかわらず組立時に強風に耐えうる携帯用キャノピー構造体を提供することである。
　本発明のさらなる目的は，高さ調節可能でしかも安定に設計された携帯用キャノピー構造体を提供することである。」
（３−２）明細書第２欄第３１〜５３行
「FIG. 1 is a perspective view of the preferred embodiment of the present invention shown in its expanded, upright position;
 FIG. 2 is a perspective view of the preferred embodiment of the present invention shown in its collapsed position;
 FIG. 3 is a perspective view of the support framework of the preferred embodiment of the present invention shown in an intermediate position between the expanded and collapsed positions;
 FIG. 3A is a top plan view of the framework shown in FIG. 3;
 FIG. 4 is a perspective view, partially broken away, of one corner of the preferred embodiment of the present invention in the expanded state;
 FIG. 5 is an exploded view of a portion of the scissor assembly connections according to the preferred embodiment of the present invention;
 FIG. 6 is a side view in elevation of the center support pole according to the preferred embodiment of the present invention;
 FIG. 7 is a cross-sectional view taken about lines 7-7 of FIG. 6;」
（訳）「図１は，本発明の展開垂直姿勢を示す好ましい実施例の斜視図；
図２は，本発明の折り畳まれた状態を示す好ましい実施例の斜視図；
図３は，本発明の展開状態と折り畳まれた状態の中間の状態を示す，好ましい実施例の支持フレームワークの斜視図；
図３Ａは，図３に示すフレームワークの平面図；
図４は，本発明を展開した状態の好ましい実施例のコーナー１か所を部分的に切断除去した斜視図；
図５は，本発明の好ましい実施例に従ったシザー組立体の部分の分解組立図；
図６は，本発明の好ましい実施例に従った中心支持柱の上昇時の側面図；
図７は，図６の７−７線の断面図；」
（３−３）明細書第２欄第６０行〜第３欄第３６行
「DETAILED DESCRIPTION OF THE PREFERRED EMBODIMENT
 The present invention is directed to a collapsible, portable canopy shelter that is adapted to be stored in a compact, collapsed state yet which may be easily transported and erected by a single person at a desired location to provide a sturdy shelter against rain, sun and other elements. To this end, the preferred embodiment of the collapsible canopy shelter 10 is shown in its expanded state in FIG. 1 and in its collapsed state in FIG. 2. As is apparent in these figures, canopy shelter 10 generally comprises a support framework 12 constructed of a lightweight, rigid material, such as aluminum, and a flexible, dome-like canopy covering 14 which is held in spaced relation to a surface, such as the ground by support framework 12. As is shown in FIG. 1, canopy shelter 10, when expanded, defines a configuration in the form of a generally cubic user space, but it should be understood that other parallelepiped user spacers are contemplated by the scope of this invention. Support framework 12, without covering 14, is best shown in FIGS. 3 and 3A in an expansion state that is approximately half-way between the collapsed state shown in FIG. 2 and the fully expanded state shown in FIG. 1. As is shown in FIG. 3, support framework 12 includes plurality of upright support members or legs 16,18,20, and 22 which form part of the support frame- work 12 and which are interconnected by scissor assemblies, described below. Specifically, leg 16 is interconnected to its adjacent legs 18 and 22 by means of a pair of scissor assemblies 24 and 26, respectively. Leg 20 is interconnected to its adjacent legs 18 and 22 by means of a third and fourth pairs of scissor assemblies 28 and 30, respectively. In the preferred embodiment, shown in FIG. 3, scissor assemblies 26 and 28, which form opposite sides of support structure 12, are interconnected by a fifth or internal scissor assembly 32. Scissor assemblies 24,26,28 and 30 have the same construction so that, for purposes of explanation, only scissor assembly 24 is fully described. However, it should be appreciated that the general structure of each scisor assembly 26,28 and 30 is the same.」
（訳）「好ましい実施例の詳細な説明
　本発明は，小型の折り畳まれた状態での保管に適応するにもかかわらず，輸送が容易で雨，日光その他の要素に対して頑丈なシェルターを提供するために所望の場所に一人で組立てられる，折畳み可能な携帯用キャノピーの提供を目的とする。この目的のため，図１に折り畳み可能なキャノピーシェルター１０の好ましい実施例の展開状態を，図２にその折り畳まれた状態を示す。これらの図で明らかなように，キャノピーシェルター１０は一般に，アルミニウムなどの軽量で剛質の材料で構成された支持フレームワーク１２及び柔軟なドーム状キャノピーカバー１４からなる。キャノピーカバー１４は，支持フレームワーク１２による地面のようなある表面に対して間隔をおいた関係に保持される。キャノピーシェルター１０は，図１に示すように，展開されると一般的に立方体の使用者空間の形状を構成する。しかし，他の平行六面体の使用者空間も本発明の範囲により意図されていることを理解されたい。図３及び図３Ａは，図２で示す折り畳まれた状態と図１で示す完全に展開された状態のほぼ中間の展開状態で，カバー１４を取除いた支持フレーム１２を最もよく示す。図３で示すように，支持フレーム１２には，複数の垂直支持構成体としての脚１６，１８，２０，及び２２がある。脚１６，１８，２０，及び２２は，支持フレームワークの一部を構成し，以下で説明するシザー組立体によって相互接続されている。具体的に言うと脚１６は，それぞれ一対のシザー組立体２４及び２６によって，隣接する脚１８及び２２に対し相互接続されている。脚２０は，それぞれ第三，第四の対のシザー組立体２８及び３０によって，隣接する脚１８及び２２に対し相互接続されている。図３に示す好ましい実施例では，シザー組立体２６及び２８が支持構造体１２の反対側を構成し，第五の即ち内部シザー組立体３２によって相互接続されている。シザー組立体２４，２６，２８，及び３０は同様の構造のため，シザー組立体２４のみを説明のために，十分に記述する。しかし，各シザー組立体２６，２８，及び３０の通常の構造は同様であると理解されたい。」
（３−４）明細書第３欄第３７〜５４行
「Scissor assembly 24, as is shown in FIG. 3, is defined by a pair of X-shaped scissor units 34 and 36, each of which is formed by a pair of tubular cross arms of square-shaped cross-section. Scissor unit 34 is formed by first elongated arms 38 and 40 which are pivotally attached to one another at a midpoint Arm 38 is pivotally secured at a first end 42 to a slide bracket 44 that is slidably received on leg 16. A first end 46 of elongated arm 40 is pivotally secured to top 48 of leg 16. Similarly, scissor unit 36 is formed of a pair of elongated arms 50 and 52 which are pivotally attached to one another at their midpoint. A first end 54 of arm 50 is pivotally secured to a slide bracket 56 which is slideably received on leg 18, and a first end 58 of arm 52 is pivotally secured to the top 60 of leg 18. A second end 62 of arm 38 is pivotally connected to a second end 66 of arm 50, and the second end 64 of arm 40 is pivotally connected to second end 68 of arm 52.」
（訳）「シザー組立体２４は，図３に示すように，一対のＸ状シザーユニット３４及び３６により構成されている。そして，各シザーユニット３４及び３６は，一対の矩形状断面の中空のクロスアームにより構成されている。シザーユニット３４は，中間点で互いに枢動可能に取り付けられた第一の細長いアーム３８及び４０により形成されている。アーム３８は，第一端４２が，脚１６にスライド可能に受けられたスライドブラケット４４に枢動可能に取り付けられている。細長いアーム４０の第一端４６は，脚１６の上端４８に枢動可能に取り付けられている。同様に，シザーユニット３６は，中間点で互いに枢動可能に取り付けられた一対の細長いアーム５０及び５２により形成されている。アーム５０の第一端５４は，脚１８にスライド可能に受けられたスライドブラケット５６に枢動可能に取り付けられている。そして，アーム５２の第一端５８は，脚１８の上端６０に枢動可能に取り付けられている。アーム３８の第二端６２は，アーム５０の第二端６６に枢動可能に接続され，そして，アーム４０の第二端６４は，アーム５２の第二端６８に枢動可能に接続されている。」
（３−５）明細書第３欄第５５行〜第４欄第３行
「Internal scissor assembly 32 is formed by a pair of X-shaped scissor units 70 and 72, as is shown in FIGS. 3 and 3A. The construction of internal scissor assembly 32 is similar to that described above with respect to scissor assembly 24, with the differences in construction best shown in FIGS. 5, 6, and 7. As is shown in those figures, scissor unit 70 is formed by pair of elongated tubular arms 74 and 76 which are hinged together at their mid-sections. Similarly, the scissor unit 72 is formed by a pair of elongated tubular arms 78 and 80 also hinged together at their mid-sections. Scissor units 70 and 72 are connected to one another and to a sleeve 82 and a socket 92. Particularly, sleeve 82 is provided with a tab 84 projecting therefrom. Elongated arms 76 and 78 are pivotally connected to tab 84 by means of a bolt or rivet 88, with a low-friction washer 86 placed between arms 76 and 78.」
（訳）「内部シザー組立体３２は，図３及び３Ａに示されているように，一対のＸ状シザーユニット７０及び７２により形成されている。内部シザー組立体３２の構造は，図５，６及び７に最もよく示されている構造状の相違があるものの，上述したシザー組立体２４に関するものと同様である。これらの図に示されているように，シザーユニット７０は，中間点で互いに枢動可能に取り付けられた一対の細長い中空アーム７４及び７６により形成されている。同様に，シザーユニット７２は，中間点で互いに枢動可能に取り付けられた一対の細長い中空アーム７８及び８０により形成されている。シザーユニット７０及び７２は互いに接続されるとともに，スリーブ８２及びソケット９２に接続されている。特に，スリーブ８２はそこから突出するタブ８４を備えている。細長いアーム７６及び７８は，アーム７６及び７８の間に配設された低摩擦ワッシャー８６とともに，ボルト又はリベット８８によって，タブ８４に枢動可能に接続されている。」
（３−６）明細書第４欄第４〜１０行
「Socket 92 is cup-shaped in configuration and is defined by surrounding sidewall 94 and a bottom wall 96. Socket 92 includes a tab 98 projecting therefrom which serves to interconnect scissor units 70 and 72. Particularly, elongated arms 74 and 80 are pivotally secured to tab 98 by means of a bolt or rivet 102, with a low-friction washer 100 placed between arms 74 and 80.」  
（訳）「ソケット９２はカップ状に形成されており，周囲の側壁９４と底壁９６とを備えている。ソケット９２はそこから突出するタブ９８を含んでいる。タブ９８はシザーユニット７０及び７２の相互接続を受け持っている。特に，細長いアーム７４及び８０は，アーム７４及び８０の間に配設された低摩擦ワッシャー１００とともに，ボルト又はリベット１０２によって，タブ９８に枢動可能に接続されている。」
（３−７）明細書第４欄第１１〜２７行
「Sleeve 82 and socket 92 mount a central or interior post 106 which has a lower end 108 and a cap 110 located on an end thereof opposite end 108. Post 106 extends through sleeve 82 so that end 108 may be mateably and releaseably received by socket 92. When the canopy shelter is moved into the collapsed state, socket 92 disengages from end 108 of post 106, as is shown in phantom in FIG. 6. However, when the canopy shelter is moved into the expanded position, end 108 is positively engaged and supported by socket 92 so that cap 110 is pressed against a reinforcement pad 112 secured to a central portion of covering 14. Preferably, post 106 has a length which is sized to elevate the center of covering 14 slightly higher than the tops of legs 16,18, 20 and22 so that water may run off canopy covering 14. In this manner, then, the central portion of covering 14 is supported by post 106 of internal scissor assembly 32.」
（訳）「スリーブ８２及びソケット９２は，下端１０８と，該下端１０８の他端に配設されたキャップ１１０とを有する中央又は内側のポスト１０６に乗っている。ポスト１０６は，下端１０８が着脱可能にソケット９２に受けられるように，スリーブ８２を介して延設されている。キャノピーシェルターが折り畳まれた状態にされたとき，図６に仮想的に示されているように，ソケット９２はポスト１０６の下端１０８からの連結が解除される。しかしながら，キャノピーシェルターが展開された状態にされたとき，キャップ１１０がカバー１４の中央部分に設けられる補強パッド１１２に対して押圧されるように，下端１０８はソケット９２により積極的に連結支持される。キャノピーカバー１４から水を流下させるため，ポスト１０６は，脚１６，１８，２０，及び２２の上端よりも若干高めにカバー１４の中央を持ち上げる長さを備えていることが好ましい。このように，カバー１４の中央部分は内部シザー組立体３２のポスト１０６で支持される。」
（３−８）明細書第４欄第２８〜４７行
「A representative connection of internal scissor assembly 32 to a side scissor assembly 28, is shown in FIG. 5. In this figure, an L-shaped bracket 114 is pivotally connected to the end of tubular elongated arm 78 that is opposite the end connected to tab 84 of sleeve 82. Arm 78 is provided with a hole 118 extending therethrough, and L bracket 114 has a complimentary hole 120. A bolt or rivet 116 is then passed through holes 118 and 120, and a bushing may be used to prevent the collapse of the sidewalk of arm 78. Scissor assembly 28 includes elongated tubular arms 122 and 124 which are provided, at adjacent ends, with holes 126 and 128, respectively. L bracket 114 has a second hole 130 which is alignable with holes 126 and 128, and a bolt or rivet 132 extends through these holes so that arms 122 and 124 are pivotally secured to bracket 114 and to each other. A low-friction washer 125 is positioned between arms 122 and 124 on rivet 132. Thus, any scissor movement of scissor assembly 28 causes a corresponding movement to scissor assembly 32.」
（訳）「内部シザー組立体３２のサイドシザー組立体２８への代表的な接続は，図５に示されている。この図において，Ｌ形ブラケット１１４は，細長い中空アーム７８の端部に枢動可能に接続されている。この中空アーム７８の端部は，スリーブ８２のタブ８４に接続された端部の反対側の端部である。アーム７８は貫通した孔１１８を備え，Ｌ形ブラケット１１４は対応する孔１２０を備えている。ボルト又はリベット１１６は孔１１８及び１２０に挿通され，アーム７８の側壁の摩耗を防止するためにブッシュを用いてもよい。シザー組立体２８は隣接する端部に孔１２６及び１２８をそれぞれ備えた細長い中空アーム１２２及び１２４を含んでいる。Ｌ形ブラケット１１４は，孔１２６及び１２８により整列できる第二孔１３０を備えている。そして，アーム１２２及び１２４がブラケット１１４に対し，互いに枢動可能に取り付けられるように，ボルト又はリベット１３２がこれらの孔を挿通する。低摩擦ワッシャー１２５は，リベット１３２におけるアーム１２２及び１２４の間に配設される。このように，シザー組立体２８のあらゆるハサミ状の動作は，シザー組立体３２に対応する動作を引き起す。」
（３−９）明細書第４欄第４８〜６５行
「The construction of the upright supports or legs, and their interconnection to the scissor assemblies is best shown in FIG. 4 where upright support or leg 16 is shown. It should be appreciated that the structure shown in FIG. 4 and described herein corresponds to legs 18, 20 and 22 as well. In FIG. 4, leg 16 comprises a hollow, tubular inner telescoping member 134 and a hollow, tubular outer telescoping member 136 which slideably receives an internal end portion of member 134. The internal end portion of member 134 is provided with a button latch 138, and member 134 terminates in a ground engaging foot or end 140 opposite its internal end. Member 136 is provided with a plurality of holes 142 at its end which receives member 134. Holes 142 are adapted to engage with button latch 138 thereby allowing selective adjustment of the relative positions of telescoping members 134 and 136, as is known in the art.」
（訳）「垂直支持体としての脚１６を示す図４は，垂直支持体としての脚の構造，及びシザー組立体に対する脚の相互接続を最もよく示す。図４で示しここで説明する構造は，脚１８，２０，及び２２にも該当することが理解されよう。図４において脚１６は，中空の管状内部入れ子式部材１３４及び中空の管状外部入れ子式部材１３６からなる。外部入れ子式部材１３６は，部材１３４の内端の部分をスライド可能に収納する。部材１３４の内端の部分にはボタンラッチ１３８があり，部材１３４は，足即ちその内端の反対側にある端１４０が接する地面にて終端している。部材１３６は末端に複数の穴１４２を備え，部材１３４を受け入れる。穴１４２は，ボタンラッチ１３８とかみ合うように適合されており，これにより，当該技術分野で周知であるように，入れ子式部材１３４及び１３６の相対的位置の選択的調節ができる。」
（３−１０）明細書第４頁第６６行〜第５欄第４行
「A second button latch 144 is mounted on a top section of telescoping member 136, and latch 144 is adapted to releaseably retain slide bracket 44 in a locked position with respect to leg 16, this locked position corresponding to the expanded position for canopy shelter 10. A corner bracket 146 is attached to leg 16 at a top end 148 opposite end 140.」
（訳）「第二ボタンラッチ１４４は，入れ子式部材１３６の上端部にあり，脚１６の固定位置でスライドブラケット４４を開放可能に保持するよう適合されている。この固定位置は，キャノピーシェルター１０の展開状態に対応している。コーナーブラケット１４６は，端部１４０の反対の上端部１４８で脚１６に取り付けられている。」
（３−１１）明細書第５欄第５〜１８行
「Slide bracket 44 and corner bracket 146 are mounted to scissor assemblies 24 and 26. To this end, slide bracket 44 includes a pair of tabs 150 and 152 which project laterally of bracket 44 and at right angles to each other. Elongated arm 38 is pivotally secured to tab 150 by means of bolt or rivet 154, and elongated arm 39 of scissor assembly 26 is pivotally secured to tab 152 in a similar manner. Corner bracket 146 is also provided with a pair of tabs 156 and 158 which laterally project therefrom at right angles to each other. Elongated arm 40 of scissor assembly 24 is pivotally secured to tab 156 by means of a bolt or rivet 160, and elongated arm 41 of scissor assembly 26 is pivotally secured to tab 158 in a like manner.」
（訳）「スライドブラケット４４及びコーナーブラケット１４６は，シザー組立体２４及び２６に取り付けられている。この目的のためスライドブラケット４４は，横へ突出し互いに直角をなす，一対のタブ１５０及び１５２を持つ。細長いアーム３８は，ボルト又はリベット１５４によってタブ１５０に枢動可能に取り付けられている。シザー組立体２６の細長いアーム３９は，同様の方法でタブ１５２に枢動可能に取り付けられている。コーナーブラケット１４６も，横へ突出し互いに直角をなす，一対のタブ１５６及び１５８を備えている。シザー組立体２４の細長いアーム４０は，ボルト又はリベット１６０によりタブ１５６に枢動可能に取り付けられており，シザー組立体２６の細長いアーム４１は，同様にタブ１５８に枢動可能に取り付けられている。」
（３−１２）明細書第５欄第１９行〜３０行
「Covering 14, as is shown in FIG. 4, is defined by a top panel 162 and surrounding side panels 164 are connected to top panel 162 around its perimeter and extend downwardly alongside support framework 12. Thus, top panel 162 and side panels 164 define a dome-liked covering which encases the upper portion of framework 12. A reinforcement panel 166 is provided at each corner bracket 146 to help absorb any stress or tearing forces on covering 14 when canopy shelter 10 is in its expanded position. Preferably, covering 14 is constructed of a flexible, lightweight canvas, nylon or other tent material, as are available in the art.」
（訳）「カバー１４は図４に示すとおり，頂部パネル１６２で構成され，周囲を囲むサイドパネル１６４が頂部パネル１６２の周囲を囲んで接続され，支持フレームワーク１２に沿って下方へ伸びている。このように頂部パネル１６２及びサイドパネル１６４がドームのようなカバーを構成し，フレームワーク１２の上部を覆う。補強パネル１６６が各コーナーブラケット１４６に備えられ，キャノピーシェルター１０が展開状態の場合に，カバー１４に対する一切の張力即ち引き裂く力の吸収を助ける。カバー１４は，当該技術分野で利用可能な，柔軟性のある軽量な帆布，ナイロン又は他のテント用材料で構成されることが好ましい。」
（３−１３）明細書第５欄第５１〜６８行
「Referring back to FIG. 1, an optional screen 176, such as a mosquito netting, may be releasably retained around the parallelepiped volume defined by support framework 12. Preferably, screen 176 is mounted to a plurality of mateable metal snaps 178 located at its top edge and along its bottom edge of side panels 164, but other fastening devices could be used to connect screen 176 to covering 14. To further stabilize canopy shelter 10, especially on windy days, each leg, such as leg 16, is provided with a locking ring 180 that mounts a guy cord 182 that may be staked into the ground, as is shown in FIG. 1. Locking ring 180 is slideable along leg 16 to its desired position, but, when tension is placed on cord 182, locking ring 180 becomes jammed at the desired location on leg 16, and is known in the art. Slits may be provided at the corner edges of screen 176 so that guy cords 182 may extend therethrough when screen 76 encircles support frame 12.」
（訳）「図１を再び参照すると，蚊よけの網など任意のスクリーン１７６が支持フレームワーク１２で構成される平行六面体の周囲に着脱可能に保持できる。スクリーン１７６は，その上端と，サイドパネル１６４の底部の端に位置する，複数の結合可能な金属スナップに取り付けられることが好ましい。しかし，スクリーン１７６は，他の留め具を使用してカバー１４に接続してもよい。特に強風の日にキャノピーシェルター１０をさらに安定させるため，脚１６など各脚は，固定リング１８０を備えている。固定リング１８０には，図１で示すように，地面にくいで固定できる張り綱１８２を取り付ける。固定リング１８０は，所望の位置に脚１６に沿ってスライド可能であるが，コード１８２に張力がかかると，当該技術分野において周知であるように，固定リング１８０は脚１６上の所望の場所に固定される。スクリーン７６が支持フレーム１２を取り囲む場合，張り綱１８２がこれを通って延び得るように，スクリーン１７６のコーナー端にスリットを入れてもよい。」
（３−１４）明細書第６欄第１〜２３行
「From the foregoing description, it should be appreciated that the canopy shelter 10 may be moved from a collapsed state, shown in FIG. 2, to the expanded state, shown in FIG. 1, and back again with relative ease. To accomplish this, the user of the present invention simply moves a pair of adjacent legs, such as legs 16 and 18, apart from one another. When this occurs, scissor assembly 24 begins to expand in a lateral direction and, since all of the scissor assemblies are interconnected with one another, scissor assemblies 26, 28 and 30 also move apart from one another, thus separating legs 16, 18, 20 and 22. Each respective side bracket, such as slide bracket 44, is then moved along its support leg until it is adjacent the top sections of its leg where it may be latched into position by means of button latches 144.
 As scissor assemblies 24, 26, 28 and 30 move into the expanded position, it should also be appreciated that scissor assembly 32 is forced to expand so that socket 92 is moved toward sleeve 82. As this takes place, lower end 108 of post 106 is positioned in socket 92 so that bottom wall 96 positively supports cap 110 against covering 14. Thus, the central portion of covering 14 is supported by post 106.」
（訳）「前述の説明から，キャノピーシェルター１０は，比較的容易に図２で示す折り畳まれた状態から図１で示す展開状態にし，再度折り畳まれた状態に戻すことが認められたはずである。本発明の使用者はこれを遂行するため，脚１６と１８などの一対の隣接する脚を互いが離れるように単に動かす。こうすることにより，シザー組立体２４は横方向へ展開し，すべてのシザー組立体が互いに相互接続しているため，シザー組立体２６，２８，及び３０も互いに離れるように移動する。こうして脚１６，１８，２０，及び２２が離れる。次にスライドブラケット４４などそれぞれのサイドブラケットが支持脚に沿って動き，脚の上端部に近接してボタンラッチ１４４によって固定される。
　シザー組立体２４，２６，２８，及び３０が展開状態になる際，シザー組立体３２は，ソケット９２がスリーブ８２のほうへ移動するために強制的に展開されることも理解されよう。これにより，底壁９６がカバー１４に接するキャップ１１０を積極的に支持するために，ポスト１０６の下端１０８が，ソケット９２に配置される。このように，カバー１４の中央部は，ポスト１０６によって支持される。」
（３−１５）図面に記載された事項
（ａ）上記記載を参酌して，ＦＩＧ．３Ａを見ると脚１６，１８，２０，２２は断面矩形状であること，また，同様にＦＩＧ．４を見ると，スライドブラケット４４等のスライドブラケットは脚が嵌合される断面矩形状の中空部が形成された収容部を備えることがわかる。
（ｂ）同様にＦＩＧ．３，ＦＩＧ．３Ａ，ＦＩＧ．４を見ると，シザー組立体の１対の上側の端部及び下側の端部である第一端４２，４６，５４，５８で脚に枢動可能に取り付けられること，シザー組立体はシザーユニットの上端部及び下端部である第二端６２，６４，６６，６８で相互に連結されるように構成され，該シザーユニット間の連結部である第二端は脚により支持されていないことがわかる。
（ｃ）同様にＦＩＧ．３Ａ，ＦＩＧ．４を見ると，シザー組立体を構成する矩形状断面のクロスアーム３８，３９，４０，４１の端部４２等とタブ１５０，１５２，１５６，１５８とは平面状の接触面を形成し，端部の表面には突起が存在しないことがわかる。
（ｄ）同様にＦＩＧ．４を見ると，展開状態においてシザー組立体の外側側面全体がキャノピーカバー１４に覆われることがわかる。
　
４．甲４：実願昭５７−９１５８０号（実開昭５８−１９５５５３号）のマイクロフィルム
　甲４には，「折畳み式ベンチ」に関する発明が記載されており，図面とともに以下の記載がある。
（４−１）明細書第２頁第３〜８行
「本考案は数人で腰掛けせられるベンチを横方向にワンタツチで開展折畳みせられると共に体積も最小限に縮小せられて携行収蔵に至便であり然も部材の種類が少なく且組立て作製も容易にして安価堅牢なこの種折畳み式ベンチを提供するものである。」
（４−２）明細書第３頁第４行〜第４頁第８行
「即ち実施例の図面に示したように２本の同径等長の金属製脚管１，２の各中央部を開閉自在に枢着Ｐしたクロス脚Ｘの多数本を設け，且これらクロス脚を順次横平行に配すると共に各クロス脚Ｘの前後端間毎にそれぞれクロス脚Ｘを介設してその交錯状に集交した各脚管１，２の上下端口に，中央部に円形の挿孔Ｒを穿ち且該挿孔の片面外周に平面巴状に各軸受けＷを立設した一体のナイロン又は合成樹脂製軸受け盤３における対角的に該当する各軸受けＷに介装軸支ｔされたナイロン又は合成樹脂製の各軸継ぎ手４の基部４′を嵌着し然して後列側の上下各軸受け盤３の挿孔Ｒに各長尺な背もたれ管５を串通してその各下端を各下部軸受け盤３の挿孔Ｒに固着し又前列左右側端の上下各軸受け盤３の挿孔Ｒには，縮小極限においてクロス脚Ｘの所要開き角度一杯即ち腰掛け高さ相応の高さとなる各伸縮管６の内管ａ上端と外管ｂ下端をそれぞれ固着してベンチの骨格を構成し，然して各クロス脚Ｘ上端の軸受け盤３の上面に細幅長尺の座布７の長手両端を順次止め金Ｔにて着脱自在に取着けすると共に各背もたれ管５の上端には細幅長尺の背もたれ布８に等間隔に縫着した皮製等の強靱な各袋筒部８′を抜き差し自在に嵌着して成るものである。」
（４−３）明細書第４頁第９行〜第５ページ第１行
「本案は以上のように同形多数のクロス脚Ｘを前後及び横方向に配し且その各脚管１，２上下端の交錯状集交部毎軸受け盤３における軸受けＷに軸支せしめたので各クロス脚Ｘはその各中央枢着部Ｐを軸として前後及び横方向自在に開閉し従つてベンチ全体を横方向に挟圧又は拡開すれば自ら縦方向にも開閉するのでベンチ使用時には前後のクロス脚Ｘの所要開き角度に座布７及び背もたれ布８を伴つて最大限開展せられると共に不使用時には前後及び横方向の両面よりこれ又座布７及び背もたれ布８を伴つて折畳まれるので最小限に縮小せられ然もワンタツチで迅速容易に操作せられる。」
（４−４）明細書第５頁第２〜１０行
「従つて本案は携行収蔵に至便なことは勿論であるが更に本案においては前列両側端の各上下軸受け盤３間にはクロス脚Ｘの所要開き角度と高さを縮小限度とする各伸縮脚６を介設したので座布７面を腰掛けに快適な程よい凹曲面に保持せしめるのと緊張による該座布の寿命を短かゝらしめることがない利点とベンチ両側を安定的に支持し傾倒破損を防止する効果を具有するものである。」
（４−５）明細書第６頁第２〜１３行
「図は実施例であつて，第１図は本案におけるベンチ骨格の斜面図であつて座布及び背もたれ布の装着状態を想像示する。第２図は本案におけるベンチ骨格の前列左右の伸縮脚上下端及びクロス脚端を上下の軸受け盤にそれぞれ装架した状態を示す各一部欠截拡大正面図，第３図は背もたれ管の上部及びクロス脚の脚管の上端を後列の上部軸受け盤に装架した各部欠截拡大正面図，第４図は軸受け盤の拡大図であつて（Ａ）は平面図，（Ｂ）は同上の側面図，第５図は軸継ぎ手の拡大図であつて（Ｃ）は側面図，（Ｄ）は正面図，（Ｅ）は俯瞰平面図である。」
（４−６）図面に記載された事項
（ａ）上記記載を参酌して第２〜４図を見ると，軸受け盤３は，隔置された平行な側壁部分により形成され互いに直交する軸受けＷを有し，下側の軸受け盤は，その平行な壁部がその下端部において水平な壁部で相互に連結され，上側の軸受け盤は，その平行な壁部がその上端部において水平な壁部で相互に連結されていることがわかる。
（ｂ）同様に第５図を見ると，（Ｃ），（Ｄ）に示された軸継ぎ手４の図示上部の部分において，軸受けに介装軸支される外側端部は，平行な側壁部分に接する面（（Ｄ）の左右の面，（Ｅ）の上下の面）は平面で，平行な側壁部分に接しない面（（Ｃ）の左右の面，（Ｅ）の左右の面））が丸みを帯びた略長方形断面であり，軸受け盤３に軸受けされる箇所は突部とされていることがわかる。
（ｃ）同様に第１図を見ると，ベンチの骨格は４本の背もたれ管５及び２本の伸縮管６で支持されていることがわかる。
　
５．甲５：特開昭４８−２９２１２号公報
　甲５には，「折畳み仮設建物」に関する発明が記載されており，図面とともに以下の記載がある。
（５−１）第２頁左上欄第３行〜右上欄第９行
「先づ第１図立面図　第２図側面図に示したように　第１図及び　第２図の各２は通常建物の場合の土台に類するものである　第１図及び　第２図の３は　桁　４は　合掌及び　角合掌　５は　棟木に相当する　これを図のように幾何学的構造にして　折畳みを可能にし　又柱を上下に伸縮出来るよう　柱に軽金属　鉄　又は合成樹脂のパイプ等を利用して　三重構造とした　第３図の　６は外柱として　７の中柱を外柱内部に差し込み　土台及び　桁　合掌等を　９の取付プレートに　１０の取付ボルトにて接続し　８の芯柱を　７の中柱内部を通して　建物上下（土台部分　小屋部分　桁部分）　を組合せる　又８の芯柱は　６の外柱最上部及び　最下部の各内部に固定金具を設け　芯柱が外柱最上部以上　又は最下部以下に抜け出さないようにする　これにて建物上下の最低の間隔を保ち　なほ開閉時には　土台　桁　合掌等が横に連繋的に作動する為　７の中柱のみが　反動伸縮性により上下運動をおこす　これにより芯柱は　土台部分と小屋部分の連繋を保ち折畳時の高さを維持出来る　第４図は　合掌及び　角合掌　棟木取付プレート　第５図は　小屋伸縮及び　上下作動部分　第４図の取付プレートを　正方形建物の場合は上下に各１箇づゝ計２箇を使用　長方形建物の場合には上下に各２箇づゝ計４箇を使用し　これに合掌及び　角合掌　棟木等を接続し小屋構造とする」
（５−２）第２頁左下欄第１〜４行
「なほ　第７図に示した開き止め装置を小屋中央部に取り付け　小屋部分の下降を止めると同時に小屋全体の強度をこれにてさゝえる」
（５−３）第３図に示された取付プレート９は断面コ字状の部材で，その平行な向き合った側壁部分間に角パイプが配置され，取付ボルト１０がそれらを貫通して接続されているのがわかる。第４図に示された取付プレートも同様の構造を有し，第７図にも同様の構造が見て取れる。
　
６．甲６：実公昭１７−１３４１５号公報
　甲６には，「半球形天幕」に関する発明が記載されており，図面とともに以下の記載がある。（当審注：一部について旧漢字を新漢字とした。）
（６−１）第１頁下欄第５〜１１行
「中央ニ眞束（１０）及支柱ヲ挿入シ得ル孔（９）ヲ有スル金屬製轆轤ノ周圍ニ切込（１３）ヲ設ケ其ノ切込ニ第三圖ニ示ス如クコ字形ニ形成セル縁金（１４）ヲ熔著シ之ニ竹又ハ其ノ他ノ彈力ヲ有スル資材ニテ製セル方杖（１５）ノ一端ニ第七圖ニ示ス如ク金屬製端部（１６）ヲ冠著シ端部（１６）ニ止穴（１７）ヲ穿設シ軸（１１）ヲ通シ縁金（１４）ニ關著ス」
　
７．甲７：特開昭５２−４６６１６号公報
　甲７には，「アンブレラ　テント」に関する発明が記載されており，図面とともに以下の記載がある。　
（７−１）第４頁左上欄第１４〜１７行
「図示の実施態様においては，テント骨組は相互に９０゜離間した４個のリブ２２を含む。　したがつて，フランジ１０は９０゜間隔で配置された４対の横に延在するラグ１４を備えている。」
（７−２）第４頁右上欄第２〜１４行
「各リブ２２の端部の中間にはピボツト　ブラケツト２６が固着されている。　第１１図にもつともよく示されているように，このブラケツトは断面がほぼＣ字形である。　ブラケツトの閉端はリブの中間部分を受入れるために縦グループを備えている。　リブは前述したねじと同様にねじのような手段でブラケツトに固着されている。　ブラケツトの離間した端部はそれらの間にカプリング部品の外部部分２８を自由に受入れている。ブラケツトの離間した端部とカプリング部品にある整合開口はピボツト　ピン３０を受入れ，それによりカプリング部品はブラケツトに回動可能に固着されている。」
（７−３）第９頁右下欄第３〜１１行
「図示の実施形態（第２１図）では，これを達成するために，フラツプ材料に，リブ　セクシヨン２２に設けられたねじ付き開口と重なり合う開口１５２が，好適にはブラケツト２６とピボツト　ボルト３０’を担持するカプリング部品とに隣接して設けられ，アンカー　ボルト１５４を受け入れるようになつている。　このようにして，シールド　フラツプは着脱可能であるが，実質的に永久的に定位置に保持してもよい。」
（７−４）第２１図に示されたブラケット２６の平行な向き合った側壁部分間に外部部品２８が配置され，ピボツト　ボルト３０’がそれらを貫通して接続されているのがかわる。
　
８．甲８：実願昭６３−１４５４８９号（実開平２−６６１４１号）のマイクロフィルム
　甲８には，「折り畳み式腰掛け」に関する発明が記載されており，図面とともに以下の記載がある。
（８−１）明細書第１０頁第１５行〜第１１頁第１６行
「脚部１３は，上記筒体１１の下部でこの筒体１１の内部に上下方向に摺動可能に嵌挿された脚部保持体３１と，この脚部保持体３１に対して半径方向外側に互いに開脚可能に例えば図示のようにピンにより枢支された三本の脚３２，３３，３４と，・・・を含んでいる。」
（８−２）明細書第１５頁第８〜１３行
「第５図は本考案による他の実施例を示しており，この折り畳み式腰掛け４０は，第１図の実施例と同様に・・・構成されている。」
（８−３）明細書第１７頁第１１〜１７行
「脚部４３は，筒体４１の下部で筒体４１の内部に上下方向に摺動可能に嵌挿され・・・た脚部保持体４７と，この脚部保持体４７に対して半径方向外側に互いに開脚可能に例えば図示のようにピンにより枢支された三本の脚３２，３３，３４とを含んでいる。」
（８−４）第１図には一実施例を示す概略斜視図が示され，脚３２，３３が，平行な向き合った側壁部分を有する部材の間にピンにより枢支されているのが見て取れる。
（８−５）第５図，第７図及び第８図にはそれぞれ，他の実施例を示す概略斜視図，一部破断拡大斜視図及び折り畳んだ状態を示す概略斜視図が示され，脚３２，３３が，平行な向き合った側壁部分を有しその上端部において水平な壁部分で相互に連結された部材，の間にピンにより枢支されているのが見て取れる。
　
９．甲９：実願平１−５５１０号（実開平２−９６９３３号）のマイクロフィルム
　甲９には，「折畳み椅子」に関する発明が記載されており，図面とともに以下の記載がある。
（９−１）明細書第２頁第２〜１７行
「［従来の技術］
　従来から携帯用の折畳み椅子には，木材や金属パイプ等で作られた枠材に腰掛け布材を張設した種々の形式のものが知られている。
［考案が解決しようとする課題］
　しかしながら，これらの折畳み椅子は一般に折畳んでもあまり小さくならないために，鞄やケース等に収納し難いという欠点がある。
　また，組み立てた状態では機械的強度及び安定度が弱く，体重の重い人が不用意に腰掛けた場合には，損壊し易いという欠点もある。
　本考案の目的は，組立てた状態では機械的強度及び安定度が良く，また折畳んだ状態では鞄やケース等に容易に収納し易いように，小型に束ねることができる折畳み椅子を提供することにある。」
（９−２）明細書第５頁第５〜１６行
「第３図は上述の実施例に用いられているかなめ金具８ａ，８ｂ，第４図は鈎型金具４ａを示している。第３図に示すように，かなめ金具８ａ，８ｂは左右対称の２つの金具Ｍ１とＭ２を組合わせて構成され，この２つの金具Ｍ１とＭ２は孔Ｐ１を通る枢軸７ａ，７ｂ及び孔Ｐ２，Ｐ３を通る取付用ピン１１によって相互に組合わされている。また，鈎型金具４ａ及び４ｂも第４図に示すように，左右対称の２つの金具Ｎ１とＮ２を組合わせて構成され，これらの２つの金具Ｎ１とＮ２は孔Ｓ１を通る軸１２及び孔Ｓ２を通る取付用ピン１１によって相互に結合されている。」
　
１０．甲１０：実公昭３８−２８６０号公報
　甲１０には，「傘骨」に関する発明が記載されており，図面とともに以下の記載がある。
（１０−１）第１頁左欄第６〜１０行
「本案は骨杆１をプラスチツク等の資材により断面肉厚樋状に形成すると共に内側に突出軸部２を有する突堤枢着部３を一体的に形成し，この突堤枢着部３に嵌合する貫孔４を先端に穿設した連結骨杆５を枢着してなる傘骨に関するものである。」
　
１１．甲１１：実公昭３８−１６７４号公報
　甲１１には，「傘骨」に関する発明が記載されており，図面とともに以下の記載がある。
（１１−１）第１頁左欄第６〜１２行
「本案は骨杆１をプラスチック等の資材により断面肉厚樋形に形成すると共に両側に枢軸２を突出せしめた突堤枢着部３を一体的に形成し，また貫孔４を穿設した双脚部５を一体的に形成した連結骨杆６をその双脚部５を突堤枢着部３に挟持せしめ枢軸２に貫孔４を嵌合せしめることにより両杆１，６を枢着してなる傘骨に関するものである。」
　
１２．甲１２：特開昭５７−８０９６７号公報
　甲１２には，「荷物運搬用トロリー」に関する発明が記載されており，図面とともに以下の記載がある。
（１２−１）第５頁左下欄第１〜１２行
「ブラケツト８及び９が，ブリツジの側方片５及び６から外方へと突き出るように，側方片５及び６の他端部に溶接されている。これらのブラケツトはチヤネル形状であつてそしてその側方梁２及び３は管状のヒンジピン１０及び１１によつてそこに枢軸状に接続されている。第１図での矢印にて示されている如く，これらのヒンジ接続は，それら側方梁が，第１図に示されているそれらの平行位置から，それらが第２図において代表されている如きそのブリツジの側方片に密に沿つて横たわる互いに近寄る位置へと内方に向けて揺動されるのを可能にしている。」
　
第７．無効理由についての判断
１．甲１に記載された発明に基づく容易性
（１）引用発明１の認定（甲１に記載された発明）
　上記記載事項（１−１）〜（１−９）及び各図面の記載からみて，甲１には，
「わく組立と折畳み操作が簡易な伸縮瞬間わく組立家屋結構であり，地面の上方にテントを支持することができる伸縮瞬間わく組立家屋結構において，
（ａ）各々が地面上に配置可能な底台片と，前記底台片と反対側の上端部とを有する複数個の直立した角型柱体の，主支柱とその下部に固定された伸縮支柱からなる４本の支柱を備え，前記支柱は折畳まれた状態で相互に相並ぶように向けられ，そして展開状態に向かって相互に離れて外方に移動可能であり，さらに，
（ｂ）２つの交叉式サイドバーの上端部と下端部を相互に連結した，「連結された２つの交叉式サイドバー」を複数個備え，連結された２つの交叉式サイドバーが支柱を相互に連結しているが，２つの交叉式サイドバーの連結部分は支柱には支持されておらず，テントをかぶせた状態で，連結された２つの交叉式サイドバー全体がテントに覆われ，各々の前記連結された２つの交叉式サイドバーが１対の支柱に締め付けられる上側の端部および１対の支柱に締め付けられる下側の端部を有し，前記交叉式サイドバーは開閉するように作用可能であり，それにより前記伸縮瞬間わく組立家屋結構は展開状態と収縮状態との間を移動することができ，さらに，
（ｃ）前記の直立した支柱上に配置されかつ前記連結された２つの交叉式サイドバーを前記支柱に締め付けるように作用する複数個の角型空心柱状の支えバー軸体を備え，該空心部分に支柱をはめ，支えバー軸体の各々は，互いに直交しそれぞれが前記角型空心柱の側壁に平行なサイドバー固定軸片を有し，前記サイドバーの端部の各々は隔置された平行な側壁部分を有し，該平行な側壁部分間に長方形横断面を有するサイドバー固定軸片が挿入されることにより，該平行な側壁部分とサイドバー固定軸片が接触面を形成し，さらに， 
（ｄ）前記連結された２つの交叉式サイドバーの各々の前記端部をそれぞれの支えバー軸体のサイドバー固定軸片に枢動可能に固定するボルトまたはリベットを備え，サイドバー固定軸片表面には突起が存在せず，
（ｅ）１対の前記支えバー軸体が前記の直立した支柱の各々の上に配置され，前記の１対の支えバー軸体の一方が上固定支えバー軸体であり，そして前記の１対の支えバー軸体の他方が下活動支えバー軸体であり，前記下活動支えバー軸体が前記の直立した支柱に滑動可能に固定されかつそれぞれの前記連結された２つの交叉式サイドバーが開閉するときに前記支柱に沿って前記上固定支えバー軸体に近い位置と前記上固定支えバー軸体から遠い位置との間に移動可能であり，
（ｆ）前記上固定支えバー軸体に一対の上サイドバー固定軸片が直交して形成され，前記下活動支えバー軸体に一対の下サイドバー固定軸片が直交して形成され
（ｇ）前記上固定支えバー軸体の各々は，それぞれ直交する一対の上サイドバー固定軸片の中央部に，屋根押上バー固定軸片を有し，
（ｈ）前記支えバー軸体は前記伸縮瞬間わく組立家屋結構が展開し，そして収縮するときに前記連結された２つの交叉式サイドバーを開閉させるように相互に関して相対移動可能であり，
（ｊ）テントの屋根部分を支える４本の屋根支えバー及び屋根フレーム押上バーが支柱上に支持され，屋根フレーム押上バーの両端はそれぞれ下活動支えバー軸体の屋根押上バー固定軸片及び屋根支えバーの中間の適当な位置に固定され，屋根支えバーの両端部は隔置された平行な側壁部分を有し，その前端部をそれぞれ中心の屋根梁受軸の屋根フレーム固定軸片に枢動固定され，他端部は上固定支えバー軸体に設けた屋根支えバー固定軸片が該隔置された平行な側壁部分に挿入されることにより両部材が面接触し枢動固定されており，
（ｋ）支柱の伸縮支柱下端に設けられた地面と接する底台片は，上固定支えバー軸体及び下活動支えバー軸体とは別部材であり，貫通孔を有するプレート状の部材である伸縮瞬間わく組立家屋結構であって，
（ｌ）活動挿ピンを支柱上の止め孔まで挿入して下活動支えバー軸体をくい止め固定し，全体が変形または収縮するのを防止する活動挿ピン及び止め孔を備えた伸縮瞬間わく組立家屋結構。」が記載されているものと認められる（以下「引用発明１」という）。
　
（２）本件特許発明１について
　ア　対比
　本件特許発明１と引用発明１を対比する。
　引用発明１の「伸縮瞬間わく組立家屋結構」は，本件特許発明１の「骨組構造体」に相当する。
　以下同様に，「地面」は「支持面」に，
「テント」は「キャノピーカバー」に，
「底台片」は「下端部」に，
「角型柱体の・・・の支柱」は「断面矩形状」の「支持部材」に，
「交叉式サイドバー」は「シザーユニット」に，
「連結された２つの交叉式サイドバー」は「端縁シザー組立体」に，
連結された２つの交叉式サイドバーの「主支柱に締め付けられる上側の端部」及び「主支柱に締め付けられる下側の端部」は端縁シザー組立体の「外側上端部」及び「外側下端部」に，
「支えバー軸体」は「マウント」に，
「角型空心柱状の支えバー軸体」の「空心部分」は「マウント」の「断面矩形状の中空部が形成された収容部」に，
「ボルトまたはリベット」は「締結ピン」に，
「上固定支えバー軸体」及び「下活動支えバー軸体」は「固定マウント」及び「スライドマウント」に，
「屋根支えバー及び屋根フレーム押上バー」及び「屋根支えバー」は「ルーフ支持組立体」及び「ルーフ支持部材」に，それぞれ相当する。
　引用発明１の，サイドバーの端部の隔置された平行な側壁部分にはサイドバー固定軸片が挿入されることから，当該部分はソケットを構成し，サイドバー固定軸片がサイドバーの端部の隔置された平行な側壁部分の間に締り嵌め係合しているといえる。
　同様に，引用発明１の屋根支えバーの両端部の隔置された平行な側壁部分もソケットを構成している。このソケットが側壁部分を連結する水平な壁部を有しないことは明らかである。
　また，引用発明１の「バー固定軸片」，「フレーム固定軸片」及び「屋根押上バー固定軸片」と本件特許発明１の「ソケット」とは，ともに，「枢軸部材」である点で共通する。
　さらに，引用発明１の「屋根支えバー・・・の前端をそれぞれ中心の屋根梁受軸の屋根フレーム固定軸片に枢動固定され」及び「他端は屋根支えバー固定軸片が該隔置された平行な側壁部分に挿入されることにより両部材が面接触し枢動固定されており」はそれぞれ，本件特許発明１の「その近位置端部において相互に枢動可能に連結され・・・る複数個のルーフ支持部材」及び「ルーフ支持部材がその遠位置端部において前記の直立した支持部材上の前記固定マウントの中央部の枢軸部材に枢動可能に連結されており」に対応する。
　そして，引用発明１の「伸縮瞬間わく組立家屋結構」が「折畳まれ，そして折畳まれた状態で保管され，そして支持面上に展開された状態で組みたてられるようになった展開可能な骨組構造体」であることは明らかである。
　
　したがって，本件特許発明１と引用発明１は，
「折畳まれ，そして折畳まれた状態で保管され，そして支持面上に展開された状態で組みたてられるようになった展開可能な骨組構造体であり，前記支持面の上方にキャノピーカバーを支持することができる骨組構造体において，
（ａ）各々が支持面上に配置可能な下端部と，前記下端部と反対側の上端部とを有する複数個の直立した支持部材を備え，前記支持部材は折畳まれた状態で相互に相並ぶように向けられ，そして展開状態に向かって相互に離れて外方に移動可能であり，各支持部材は断面矩形状であり，さらに，
（ｂ）複数個の端縁シザー組立体を備え，一つの端縁シザー組立体が前記支持部材のうちの隣接した支持部材を相互に連結し，各々の前記端縁シザー組立体が１対の外側上端部および１対の外側下端部を有し，前記端縁シザー組立体は開閉するように作用可能であり，それにより前記骨組構造体は展開状態と収縮状態との間を移動することができ，展開状態において前記端縁シザー組立体の外側側面全体が前記キャノピーカバーで覆われ，各々の前記端縁シザー組立体は上端部及び下端部において相互に連結されたシザーユニットにより構成され，前記シザーユニット間の連結部は構造を補強するための更なる直立した支持部材により前記支持面上に支持されておらず，前記骨組構造体全体が展開状態において４個の直立した支持部材によってのみ支持されており，さらに，
（ｃ）前記の直立した支持部材上に配置されかつ前記端縁シザー組立体を前記支持部材に締め付けるように作用する複数個のマウントを備え，該各マウントは前記支持部材が嵌合される断面矩形状の中空部が形成された収容部を備え，互いに直交する一対の枢軸部材を有し，該一対の枢軸部材はそれぞれ前記収容部の前記中空部を囲う側壁に平行であり，前記端縁シザー組立体の各々と枢軸部材は締り嵌め係合されるように，マウントまたは端縁シザー組立体の端部の一方が隔置された平行な側壁部分を有するソケットにより形成され，他方が該ソケット内に受け入れられる長方形横断面の端部を有し，それにより前記の平行な側壁部分と共に平面状の接触面を形成し，さらに，
（ｄ）前記端縁シザー組立体の各々の外側端部と枢軸部材とを枢動可能に固定する締付ピンを備え，前記平行な側壁部分と接触する前記端部表面に突起が存在せず，
（ｅ）１対の前記マウントが前記の直立した支持部材の各々の上に配置され，前記の１対のマウントの一方が固定マウントであり，そして前記の１対のマウントの他方がスライドマウントであり，前記スライドマウントが前記の直立した支持部材に滑動可能に固定されかつそれぞれの前記端縁シザー組立体が開閉するときに前記支持部材に沿って前記固定マウントに近い位置と前記固定マウントから遠い位置との間に移動可能であり，
（ｆ）前記固定マウントに一対の枢軸部材が直交して形成され，前記スライドマウントに一対の枢軸部材が直交して形成され，
（ｇ）前記固定マウントの各々は，それぞれ直交する一対の枢軸部材の中央部に，中央部の枢軸部材を有し，
（ｈ）前記マウントは前記骨組構造体が展開し，そして収縮するときに前記端縁シザー組立体を開閉させるように相互に関して相対移動可能であり，
（ｊ）骨組構造体が展開状態にあるときに前記の直立した支持部材により支持面の上方に支持されるルーフ支持組立体を含み，前記ルーフ支持組立体が前記キャノピーカバーを支持するように作用し，前記ルーフ支持組立体が頂点を形成するためにその近位置端部において相互に枢動可能に連結され，かつ展開状態にあるとき相互に離れて半径方向に外方に延びる複数個のルーフ支持部材を含み，各々のルーフ支持部材がその遠位置端部において前記の直立した支持部材上の前記固定マウントの中央部の枢軸部材に枢動可能に連結されており，
（ｋ）支持部材の前記下端部各々が，前記固定マウント及び前記スライドマウントとは別部材であり，貫通孔を有して前記支持面と係合するプレート状部材を備える骨組構造体。」
の点で一致し，以下の各点で相違する。
　
［相違点１−１］
　本件特許発明１では，マウントがソケットを有し，ソケットの平行な側壁部分は上端部又は下端部において水平な壁部分で相互に連結されており，中空部を備える管状構造のシザーバーから構成される端縁シザー組立体の外側端部が該ソケット内に受け入れられて，平行な側壁部分が平面状の接触面に沿って外側端部に作用して前記端縁シザー組立体の横方向のたわみおよびねじりによるたわみを阻止するのに対して，引用発明１では，端縁シザー組立体の外側端部がソケットを有し，マウントもシザー組立体も中空部を備える管状構造の部材ではなく，マウントが該ソケット内に受け入れられて，平行な側壁部分が平面状の接触面を形成するものの，その平行な側壁部分は上端部又は下端部において水平な壁部分で相互に連結されておらず，たわみを阻止するかどうか不明な点。
　
［相違点１−２］
　本件特許発明１では，中央の枢軸部材が隔置された平行な側壁部分により形成され前記側壁部分を連結する水平な壁部を有しない中央部ソケットからなり，ルーフ支持部材の遠位置端部が中央部ソケットに枢動可能に連結されているのに対して，引用発明１では，中央の枢軸部材が，隔置された平行な側壁部分により形成され前記側壁部分を連結する水平な壁部を有しないソケットを有するルーフ支持部材（屋根支えバー）の端部に枢動可能に結合されている点。
　
［相違点１−３］
　本件特許発明１では，固定マウントの収容部が，支持部材に沿って前記スライドマウントの方向に向かってすべてのソケットを超えて延び出しているのに対して，引用発明１は，そのような構成を有しない点。
　
　イ　相違点についての判断
［相違点１−１についての判断］
（ア）本件特許発明１は，特に，シザー組立体を相互に連結しかつシザー組立体の端部を捕獲するソケットを有する非圧縮性のマウントの形態の構造用装置に関するものであり，また，支持面の上方にキャノピーカバーを支持することができ，展開状態において４個の直立した支持部材のみによって支持され，支持部材の下端部各々がプレート状部材により支持面と係合する構成を有していること，隣接した支持部材の間に延びる端縁シザー組立体が横方向の力をしばしば受けるが，シザー組立体が相互にかつ隅の支持部材と連結されている場合，締め付けられれば，シザーの作用を阻止し，横方向にたわむときに剪断力をうけるため，連結ボルトが過大な横方向のたわみにより曲り，又は破断し得ること，そのため，本発明の目的は，「トラス組立体のシザー要素のための連結装置であって，シザー構成要素を自由に枢動させると共に，シザー要素の横方向の変形およびねじりによる変形を阻止するように非圧縮性の連結装置を提供すること」や，「構造体を構成する要素を相互に連結するための新規の有用なマウントを設け，そしてさらに複雑な構造体に統合することができる最小限の異なる部品を有する連結装置を使用することにより，折畳み可能なキャノピー構造体を簡単にすること」，「構造上の結合性または強度を有意に損なうことなく重量がより軽い隅の支持部材およびシザーバーを使用することができるキャノピーのための折畳み可能でありかつ展開可能な骨組構造体を提供すること」であること，端縁シザー組立体を直立支持部材に留めるために，支持部材に配置された複数個の新規のマウントは，隔置された向き合う側壁部分によりソケットが形成され，それにより端縁シザー組立体の外側端部を向き合う側壁部分の間に締り嵌め係合するようにソケットのそれぞれ内に捕獲することができ，マウントの平行な側壁部は，平面状の接触面に沿って外側端部に作用し，シザー組立体自体の横方向のたわみ及びねじりによるたわみを阻止する作用をすることが認められる。すなわち，本件特許発明１は，支持部材の下端部が支持面である地面に係合され，上端付近（支持面の上方）にキャノピーカバー等が配置される骨組構造体であることから，風力等によりシザー要素の横方向の変形及びねじりによる変形を生じ得るという課題を有するものであり，マウント（連結装置）の「平行な側壁部分は上端部又は下端部において水平な壁部分で相互に連結されて」いる構成は，シザー要素の上記の変形を阻止する作用を有するものであり，連結部分の構造を改良・強化することにより，課題を解決する手段であるといえる。
（イ）一方，甲１には，引用発明１の「優点」として，「任意に移位可能で定位できる」，「風に吹き倒されるおそれがない」ことが記載され，伸縮支柱（２）下端が一つの底台片（２１）に溶接固定されること，第１２図には底台片（２１）に孔があることが記載されている。そうすると，引用発明１は，止め孔を通じて支持面に定位され，風圧等による横方向の力の影響を受けやすい構造体の上部に屋根等が配置される（第１図〜第６図）ことから，風圧等によるシザー要素の横方向の変形及びねじりによる変形をも考慮して，構造体の補強を指向するものと一応認められる。しかし，引用発明１の上固定支えバー軸体，下活動支えバー軸体（本件特許発明１のマウントに相当すると認められる。）は，端縁シザー組立体の外側端部がソケットを有し，上記バー軸体が当該ソケット内に受け入れられるものとなっており，かつ，ソケットの平行な側壁部分は上端部又は下端部において水平な壁部分で相互に連結されていない構成であるところ，甲１には，かかる構成が，シザー要素の上記の変形を阻止する作用を有すること及びそのために連結部分の構造を改良・強化するものであること（本件特許発明１の課題と解決）については，記載も示唆もされていないというべきである。
（ウ）また，甲２，甲３，甲５〜甲７，甲９〜甲１２には，ソケットの平行な側壁部分が上端部又は下端部において水平な壁部分で相互に連結されている構成が示されておらず，また，シザー要素の横方向の変形及びねじりによる変形を生じさせるような力に対する考慮も示唆されていない。また，甲４及び甲８には上記構成と同様の構成が示されているが，以下のとおり，本件特許発明１や引用発明１において想定される，シザー要素の上記の変形を生じさせるような力の作用を考慮した連結装置を開示するものとはいえない。
（エ）すなわち，甲４記載の折畳み式ベンチは，交錯状に集交した脚管の端部の連結器具として軸受け盤の軸受けは平行な向き合った側壁部分を有し，その下端部が相互に連結されているが（第４図），携行収蔵に至便，組立て作製も容易なように，脚の下端が接地面（支持面）に固定される構成は有さず，脚の上下端に脚管が連結されて骨格を構成してベンチに作用する力を支持し，傾倒破損を防止する効果を有するものといえる。
（オ）また，甲８記載の折り畳み式腰掛けは，その脚部が，筒体の下部で筒体の内部に上下に摺動可能に嵌挿された脚部保持体を有し，脚部保持体は，平行な向き合った側壁部分の下端部が相互に連結されているが（第７図），より一層軽量且つ小型に構成され，簡便に携帯可能なようにしたものである。
（カ）そうすると，上記ベンチ及び上記腰掛けは，上記の構成，目的及び用途からして，シザー要素の横方向の変形及びねじりによる変形を生じさせるような態様の力が作用することは想定しがたいものであって，甲４及び甲８に，そのような作用を想定した連結装置が開示ないし示唆されているとは認められない。
（キ）以上によれば，甲１には，本件特許発明１のマウントに相当する上固定支えバー軸体，下活動支えバー軸体の構成により，シザー要素の横方向の変形およびねじりによる変形を阻止する作用を有することは格別記載も示唆もされていないから，甲１に接した当業者が，かかる変形を阻止するために，さらに，上記軸体の構成を，相違点１−１に係る本件特許発明１の構成とすることに容易に想到するとは言い難い。また，仮に，甲１の記載から，引用発明１における上記軸体の構成を変更することの示唆を得たとしても，上記のとおり，甲２〜甲１２は，ソケットの平行な側壁部分は上端部又は下端部において水平な壁部分で相互に連結された構成は示されていないか，シザー要素の上記の変形を阻止する作用を考慮したものではないから，これらに記載された技術を引用発明１に適用することが容易とはいえない。
（ク）したがって，甲２〜甲１２には，骨組み構造のたわみやねじりに対する強度を向上するための枢軸構造として「ソケットの平行な側壁部分の一端を水平な壁部で相互に連結」された構造は開示されていないから，引用発明１において，連結装置を，側壁部分が水平な壁部で相互に連結される構成に置換して，相違点１−１に係る本件特許発明１の構成とすることは困難である。
（ケ）これに対し，（ａ）折り畳み可能な骨組構造体の技術分野における通常の知識を有する当業者にとって，折り畳み可能な椅子の骨組構造体に関する技術知識を有していたと合理的に判断でき，その技術知識に基づけば，甲４及び甲８記載の水平な壁部での連結構造を引用発明１に適用するのは容易であるか否か，（ｂ）「側壁部分が水平な壁部で相互に連結される構成」は，たわみを阻止するという作用効果を発揮させる上で特段の意味を持つとはいえず，引用発明１において，強度の向上を図るため当業者により適宜採用される設計事項にすぎないか否かについて検討する。
（コ）上記（ａ）の点につき，甲４及び甲８には，ソケットの平行な側壁部分は上端部又は下端部において水平な壁部分で相互に連結された構成が記載されているとしても，シザー要素の横方向の変形及びねじりによる変形を阻止する作用を考慮したものではないから，当業者が，甲４及び甲８記載の技術知識を有していたとしても，それを引用発明１に適用することを容易に想到し得たとは認められない。また，上記（ｂ）の点につき，本件特許発明１において，連結装置に関する「側壁部分が水平な壁部で相互に連結される構成」は，平行な側壁部分を連結してこれを補強するものであることは当業者にとって明らかであるから，シザー要素の横方向の変形及びねじりによる変形を阻止するという課題の解決手段であり，発明の特徴点といえる。甲１〜甲１２において，構造体の強度の向上を図るとの課題は示唆されるとしても，かかる一般的な課題から，シザー要素の上記の変形を阻止するとの課題が当然に発想され得ることを裏付ける証拠はないから，連結装置に関して上記構成を採用することを，当業者が適宜採用する設計事項と認めることはできない。
　
［相違点１−２についての判断］
　互いに対応する形状を有し，組み合わされることにより係合される２つの部材は，お互いに補完する関係にあり，両部材の配置を任意に交換できるのが普通である。そして，本件特許発明１の中央部のソケットとルーフ支持部材及び引用発明１の屋根フレーム固定軸片と屋根支えバーは，ともにこのような関係にあるから，これらの部材の対応する構成を入れ替えることにより相違点１−２に係る構成を採用することは，当業者が容易になし得る事項である。
　
［相違点１−３についての判断］
　柱状の部材（本件特許発明１においては「支持部材」）に，該柱状部材を収納するブラケット状の部材（同「固定マウント」）を配置し，該ブラケット部材に突出部（同「ソケット」）を設け，当該突出部に他の部材（同「シザーバー」）を支持する構成において，ブラケット部材の形状や厚み等をどのようなものにするかは，用いる各部材との関係や用途，求められる強度等を総合的に参酌して，当業者が適宜決定しうる事項である。（甲３，ＦＩＧ．４中の４４（Slide bracket44）参照）
　したがって，引用発明１に上記相違点１−３に係る構成を採用することに，格別の困難性はない。
　
　ウ　小括
　以上のとおり，本件特許発明１の相違点１−１に係る構成は，引用発明１及び甲２〜甲１２に基いて，当業者が容易に発明をすることができたものとはいえない。
　よって，本件特許発明１は，引用発明１及び甲２〜甲１２に基いて当業者が容易に発明をすることができたものとはいえない。
　
（３）本件特許発明２〜６について
　上記のとおり，本件特許発明１が引用発明１及び甲２〜甲１２に基いて当業者が容易に発明をすることができたものとはいえない以上，本件特許発明１の構成をすべて含みさらに他の構成要件を付加した本件特許発明２〜６についても，引用発明１及び甲２〜甲１２に基いて当業者が容易に発明をすることができたものとはいえない。
　
２．甲２に記載された発明に基づく容易性
（１）引用発明２の認定（甲２に記載された発明）
　上記記載事項（２−１）〜（２−１３）及び各図面の記載からみて，甲２には，
「折畳まれた状態で保管され，支持面上に拡張状態に組立てられるようになった拡張可能な天蓋構造物は天蓋カバー及び天蓋骨組ユニツトを有し，天蓋カバーが天蓋骨組ユニツトによって支持面の上方に支持され，
（ａ）各々が支持面上に配置可能な足と，前記足の反対側の上端部とを有する複数個の直立したコーナー支持部材を備え，前記コーナー支持部材は，折畳まれた状態で相互に相並ぶように向けられ，拡張状態に向かって相互に離れて外方に移動可能であり，各コーナー支持部材は，方形横断面を有し
（ｂ）複数個のシザース交差組立体を備え，一つのシザース交差組立体が前記コーナー支持部材のうちの隣接したコーナー支持部材を相互に連結し，各々の前記シザース交差組立体が１対のコーナー支持部材に結合される上部分の端部及び１対のコーナー支持部材に結合される下部分の端部を有し，前記シザース交差組立体は開閉するように作用可能であり，それにより前記天蓋骨組ユニツトは折畳まれた状態と拡張状態との間を移動することができ，拡張状態において前記シザース交差組立体の全体が前記天蓋カバーに覆われ，各々の前記シザース交差組立体は上端部及び下端部にある結合点において相互に連結されたシザースユニツトにより構成され，前記シザースユニツトの結合点は直立したコーナー支持部材により前記支持面上に支持されておらず，前記天蓋骨組ユニツト全体が拡張状態において４本の直立したコーナー支持部材によって支持されており，
（ｃ）前記の直立したコーナー支持部材の上端に第１のＵ形ブラケツトが取り付けられ，第１のＬ形ブラケツトが前記第１のＵ形ブラケツトに隣接してコーナー支持部材に結合され，すべりブラケツトが摺動自在にコーナー支持部材に嵌装され，第２のＵ形ブラケツト及び第２のＬ形ブラケツトがともにすべりブラケツトに結合されており，シザース交差組立体の上部分及び下部分の端部はそれぞれピンによって第１及び第２のＬ形ブラケツトに枢動自在に結合され，第１及び第２のＬ形ブラケツトのそれぞれにシザース交差組立体を枢動自在に結合する一対の部分が設けられており，
（ｄ）前記シザース交差組立体の上部分の端部を第１のＬ形ブラケツトにピンによって枢動自在に結合し，前記シザース交差組立体の下部分の端部を第２のＬ形ブラケツトにピンによって枢動自在に結合し，
（ｅ）コーナー支持部材には，第１のＵ形ブラケツト及び第１のＬ形ブラケツトが結合されるとともに，すべりブラケツトが摺動自在に嵌装されかつそれぞれのシザース交差組立体が開閉するときに前記コーナー支持部材に沿って前記第１のＵ形ブラケツト及び第１のＬ形ブラケツトに近い位置と遠い位置との間に移動可能であり，
（ｇ）第１のＵ形ブラケツトは屋根支持部材を枢動自在に結合する部分を有し，
（ｈ）前記第１のＵ形ブラケツト及び第１のＬ形ブラケツトとすべりブラケツトとは，前記天蓋骨組ユニツトが拡張し，そして折畳まれるときに前記シザース交差組立体を開閉させるように相互に関して相対移動可能であり，
（ｊ）天蓋骨組ユニツトが拡張状態にあるときに前記の直立したコーナー支持部材により支持面の上方に支持される屋根支持部材，頂点部分及びカンチレバー部材を含み，それらが前記天蓋カバーを支持するように作用し，その内端において頂点部分に相互に枢動自在に結合され，かつ拡張状態にあるときに伸張状態に確保される複数個の屋根支持部材を含み，各々の屋根支持部材はその外端でピンによって前記の第１のＵ形ブラケツトに枢動自在に結合されており，
（ｋ）コーナー支持部材の足は，第１のＬ形ブラケツト，第１のＵ形ブラケツト及びすべりブラケツトとは別部材であり，支持面上に静止される部材を備える天蓋骨組ユニツト」
が記載されていると認められる(以下「引用発明２」という）。
　なお，記載事項（２−５）における「Ｕ形ブラケツト」（参照符号３６）は，「第２のＵ形ブラケツト」（参照符号３７）との混同を防ぐために「第１のＵ形ブラケツト」として認定した。
　
（２）本件特許発明１について
　ア　対比
　本件特許発明１と引用発明２を対比する。
　引用発明２における「天蓋骨組ユニット」は，本件特許発明１の「骨組構造体」に相当する。
　以下同様に，「天蓋カバー」は「キャノピーカバー」に，
「足」は「下端部」に，
「方形横断面」の「コーナー支持部材」は，「断面矩形状」の「支持部材」に，
「シザース交差組立体」は「端縁シザー組立体」に，
「シザースユニツト」は「シザーユニット」に，
「ピン」は「締結ピン」に，
「第１のＬ形ブラケツト」は「固定マウント」に，
「すべりブラケツト」は「スライドマウント」に，
「屋根支持部材」は「ルーフ支持部材」に，
「屋根支持部材，頂点部分及びカンチレバー部材」は「ルーフ支持組立体」に，それぞれ相当する。
　また，引用発明２のシザース交差組立体がコーナー支持部材に連結される「上部分の端部」及び「下部分の端部」は，本件特許発明１の「外側上端部」及び「外側下端部」に相当し，同様にシザースユニツトの「結合点」は，シザーユニットの「連結部分」に相当する。
　また，引用発明２の屋根支持部材の「内端において頂点部分に相互に枢動自在に結合」及び「拡張状態にあるとき伸張位置に確保される」は，本件特許発明１における頂点の「近傍位置端部において相互に枢動可能に連結」及び「展開上にあるとき相互に離れて半径方向に外方に延びる」にそれぞれ相当する。
　引用発明２の「第１のＵ形ブラケツト」は屋根支持部材（本件特許発明１の「ルーフ支持部材」）の外端を，「第１のＬ形ブラケツト」及び「第２のＬ形ブラケツト」は，シザース交差組立体（同「端縁シザー組立体」）の端部を枢動可能に支持しているから，それらの枢動可能に支持する部分は本件特許発明の「ソケット」と，「枢動部分」である点で共通する。そして，記載事項（２−３）の「第１図−第６図は，概ね立方形の構造を有する天蓋構造体」との記載を参酌しつつ，第１図，第２図の全体の斜視図及び第４図の側面図における骨組みの構造を見れば，引用発明２の天蓋構造体は平面視で正方形で，その中心に屋根の頂点が存在するものといえるから，引用発明２の各コーナー支持部材及び各すべりブラケツトに設けられる第１，第２のＬ形ブラケツト３８，３９のシザース交差組立体を枢動自在に結合する部分は互いに直交方向に形成され，それら直交方向に形成される枢動自在に結合される部分の中間に屋根支持部材を枢動する第１のＵ形ブラケツト３６の枢動部分を有するものといえる。してみれば，引用発明２の第１，第２のＬ形ブラケツトの「枢動部分」は，本件特許発明１と同様に「互いに直交する」ものであり，引用発明２の第１のＵ形ブラケツトの枢動部分は，本件特許発明１の中央部のソケットと同様にそれら一対の枢動部分の「中央部」に形成されるものである。
　引用発明２の「すべりブラケツト」は，方形横断面のコーナー支持部材に摺動自在に嵌装されているから，「支持部材が嵌合される」「中空部が形成された収容部を備え」ることは明らかである。
　
　したがって，本件特許発明１と引用発明２は，
「折畳まれ，そして折畳まれた状態で保管され，そして支持面上に展開された状態で組みたてられるようになった展開可能な骨組構造体であり，前記支持面の上方にキャノピーカバーを支持することができる骨組構造体において，
（ａ）各々が支持面上に配置可能な下端部と，前記下端部と反対側の上端部とを有する複数個の直立した支持部材を備え，前記支持部材は折畳まれた状態で相互に相並ぶように向けられ，そして展開状態に向かって相互に離れて外方に移動可能であり，各支持部材は断面矩形状であり，さらに，
（ｂ）複数個の端縁シザー組立体を備え，一つの端縁シザー組立体が前記支持部材のうちの隣接した支持部材を相互に連結し，各々の前記端縁シザー組立体が１対の外側上端部および１対の外側下端部を有し，前記端縁シザー組立体は開閉するように作用可能であり，それにより前記骨組構造体は展開状態と収縮状態との間を移動することができ，展開状態において前記端縁シザー組立体の外側側面全体が前記キャノピーカバーで覆われ，各々の前記端縁シザー組立体は上端部及び下端部において相互に連結されたシザーユニットにより構成され，前記シザーユニット間の連結部は構造を補強するための更なる直立した支持部材により前記支持面上に支持されておらず，前記骨組構造体全体が展開状態において４個の直立した支持部材によってのみ支持されており，さらに，
（ｃ）前記の直立した支持部材上に配置されかつ前記端縁シザー組立体を前記支持部材に締め付けるように作用する複数個のマウントを備え，該マウントの各々は，互いに直交する一対の枢動部分を有し，
（ｄ）前記端縁シザー組立体の各々の外側端部をそれぞれの枢動部分に枢動可能に固定する締付ピンを備え，
（ｅ）１対の前記マウントが前記の直立した支持部材の各々の上に配置され，前記の１対のマウントの一方が固定マウントであり，そして前記の１対のマウントの他方がスライドマウントであり，前記スライドマウントが前記の直立した支持部材に滑動可能に固定されかつそれぞれの前記端縁シザー組立体が開閉するときに前記支持部材に沿って前記固定マウントに近い位置と前記固定マウントから遠い位置との間に移動可能であり，
（ｇ）前記固定マウントのそれぞれ直交する一対の枢動部分の中央に位置する箇所に，ルーフ支持部材の枢動部分が位置し，
（ｈ）前記マウントは前記骨組構造体が展開し，そして収縮するときに前記端縁シザー組立体を開閉させるように相互に関して相対移動可能であり，
（ｊ）骨組構造体が展開状態にあるときに前記の直立した支持部材により支持面の上方に支持されるルーフ支持組立体を含み，前記ルーフ支持組立体が前記キャノピーカバーを支持するように作用し，前記ルーフ支持組立体が頂点を形成するためにその近位置端部において相互に枢動可能に連結され，かつ展開状態にあるとき相互に離れて半径方向に外方に延びる複数個のルーフ支持部材を含み，各々のルーフ支持部材がその遠位置端部において前記の直立した支持部材上の前記ルーフ支持部材の枢動部分に枢動可能に連結されており，
（ｋ）支持部材の前記下端部各々が，前記固定マウント及び前記スライドマウントとは別部材であり，前記支持面と係合する部材を備える骨組構造体。」
　の点で一致し，以下の各点で相違する。
　
［相違点２−１］
　本件特許発明１では，マウントが，隔置された平行な側壁部分により形成され該一対の側壁部分はそれぞれ前記収容部の前記中空部を囲う側壁に平行であるソケットを有し，ソケットの平行な側壁部分は上端部又は下端部において水平な壁部分で相互に連結されており，中空部を備える管状構造のシザーバーから構成される端縁シザー組立体の外側端部がソケットの側壁部分の間に締り嵌め係合されるように該ソケット内に受け入れられて，平行な側壁部分が平面状の接触面に沿って外側端部に作用して前記端縁シザー組立体の横方向のたわみおよびねじりによるたわみを阻止するのに対して，引用発明２では，マウントは隔置された側壁部分により形成されるソケットを有するかどうか不明で，マウントの平行な側壁部分は上端部又は下端部において水平な壁部分で相互に連結されているかどうか不明で，端縁シザー組立体は中空部を備える管状構造の部材かどうか不明で，端縁シザー組立体の外側端部はソケットの側壁部分の間に締り嵌め係合されるようにソケット内に受け入れられるかどうか不明で，たわみを阻止するかどうか不明である点。
　
［相違点２−２］
　本件特許発明１では，固定マウントには，直交する一対の枢動部分（ソケット）とその中央に位置する枢動部分（中央部ソケット）を有するのに対し，引用発明２では第１のＬ形ブラケツト（本件特許発明１の「固定マウント」）と第１のＵ形ブラケツトは別体である点。
　
［相違点２−３］
　本件特許発明１では，固定マウントの中央部ソケットは，隔置された平行な側壁部分により形成され前記側壁部分を連結する水平な壁部を有しないものであるのに対し，引用発明２の第１のＵ形ブラケツトの枢動部分はそのように特定されていない点。
　
［相違点２−４］
　本件特許発明１では，マウントは前記支持部材が嵌合される断面矩形状の中空部が形成された収容部を備え，固定マウントの収容部は，支持部材に沿って前記スライドマウントの方向に向かってすべてのソケットを超えて延び出しているのに対して，引用発明２では，すべりブラケツト（本件特許発明１の「スライドマウント」）は，支持部材が嵌合される中空部が形成された収容部を有するものの断面矩形状であるとは特定されず，第１のＬ形ブラケツト（同「固定マウント」）は，支持部材が嵌合される断面矩形状の中空部が形成された収容部を有するかどうか不明である点。
　
［相違点２−５］
　本件特許発明１では，支持部材の下端部各々の部材が「貫通孔を有して」いる「プレート状」の部材であるのに対し，引用発明２ではそのような構成を有するか不明である点。
　
　イ　相違点についての判断
［相違点２−１についての判断］
　上記「相違点１−１についての判断」（ア）で検討したとおり，本件特許発明１は，支持部材の下端部が支持面である地面に係合され，上端付近（支持面の上方）にキャノピーカバー等が配置される骨組構造体であることから，風力等によりシザー要素の横方向の変形及びねじりによる変形を生じ得るという課題を有するものであり，マウント（連結装置）の「平行な側壁部分は上端部又は下端部において水平な壁部分で相互に連結されて」いる構成は，シザー要素の上記の変形を阻止する作用を有するものであり，連結部分の構造を改良・強化することにより，課題を解決する手段であるといえる。
　一方，甲２には，風圧等によるシザー要素の横方向の変形及びねじりによる変形を生じさせるような力に対する考慮も示唆もされていない。また，枢動部分の構成について「シザースユニツト６２の交差片６４，６６はそれぞれピン６５，６７によってＬ形ブラケツト３８，３９に枢動自在に結合されている」と記載されているものの，平行な側壁部分により形成されるソケットとすることは記載も示唆もされていないのであるから，甲２には，ソケットの平行な側壁部分が上端部又は下端部において水平な壁部分で相互に連結される構成が，シザー要素の上記変形を阻止する作用を有すること及びそのために連結部分の構造を改良・強化するものであること（本件特許発明１の課題と解決）については，記載も示唆もされていないというべきである。
　また，甲１，甲３，甲５〜甲７，甲９〜甲１２には，ソケットの平行な側壁部分が上端部又は下端部において水平な壁部分で相互に連結されている構成が示されておらず，また，シザー要素の横方向の変形及びねじりによる変形を生じさせるような力に対する考慮も示唆されていない。また，甲４及び甲８には上記構成と同様の構成が示されているが，上記「相違点１−１についての判断］（エ）〜（カ）で検討したとおり，本件特許発明１や引用発明２において想定される，シザー要素の上記の変形を生じさせるような力の作用を考慮した連結装置を開示するものとはいえない。
　以上によれば，甲２には，本件特許発明１のマウントに相当する第１のＬ形ブラケツト，すべりブラケツトの構成により，シザー要素の横方向の変形およびねじりによる変形を阻止する作用を有することは格別記載も示唆もされていないから，甲２に接した当業者が，かかる変形を阻止するために，さらに，上記第１のＬ形ブラケツト，すべりブラケツトの構成を，相違点２−１に係る本件特許発明１の構成とすることに容易に想到するとは言い難い。また，仮に，甲２の記載から，引用発明２における上記第１のＬ形ブラケツト，すべりブラケツトの構成を変更することの示唆を得たとしても，上記のとおり，甲１，甲３〜甲１２は，ソケットの平行な側壁部分は上端部又は下端部において水平な壁部分で相互に連結された構成は示されていないか，シザー要素の上記の変形を阻止する作用を考慮したものではないから，これらに記載された技術を引用発明２に適用することが容易とはいえない。
　したがって，甲１，甲３〜甲１２には，骨組み構造のたわみやねじりに対する強度を向上するための枢軸構造として「ソケットの平行な側壁部分の一端を水平な壁部で相互に連結」された構造は開示されていないから，引用発明２において，連結装置を，側壁部分が水平な壁部で相互に連結される構成に置換して，相違点２−１に係る本件特許発明１の構成とすることは困難である。
　これに対し，（ａ）折り畳み可能な骨組構造体の技術分野における通常の知識を有する当業者にとって，折り畳み可能な椅子の骨組構造体に関する技術知識を有していたと合理的に判断でき，その技術知識に基づけば，甲４及び甲８記載の水平な壁部での連結構造を引用発明２に適用するのは容易であるか否か，（ｂ）「側壁部分が水平な壁部で相互に連結される構成」は，たわみを阻止するという作用効果を発揮させる上で特段の意味を持つとはいえず，引用発明２において，強度の向上を図るため当業者により適宜採用される設計事項にすぎないか否かについても，上記［相違点１−１についての判断］（コ）で検討したのと同様に，（ａ）の点につき，当業者が，甲４及び甲８記載の技術知識を有していたとしても，それを引用発明２に適用することを容易に想到し得たとは認められないし，（ｂ）の点につき，連結装置に関して上記構成を採用することを，当業者が適宜採用する設計事項と認めることはできない。
　
［相違点２−２についての判断］
　引用発明２における第１のＬ形ブラケツト及び第１のＵ形ブラケツトは，両者とも支柱部材の上端部付近に固定して設けられるものである。そして，このような近接して設けられる複数の部品について，部品点数や組立工数を減らすなどの観点から，これらを一体としてひとつの部品とすることは当業者が適宜なし得ることであるし，支柱部材の上端部に端縁シザー組立体及びルーフ支持組立体を枢動可能に保持する枢動部分を一体の部品とすることも，甲１（第１４図，上固定支えバー軸体４参照）に記載された技術的事項であるところ，引用発明２において第１のＬ形ブラケツトと第１のＵ形ブラケツトとを一体とすることは，当業者が容易になし得たことである。
　よって，引用発明２に上記相違点２−２に係る構成を採用することは，当業者が適宜になし得たことである。
　
［相違点２−３についての判断］
　棒状の部材を枢動可能に連結する構成として，平行な側壁で形成されるソケットとこれに枢動可能に連結される棒状の部材とすることは，甲４〜甲１０，甲１２に記載されるように周知の技術である。そして，平行な側壁で構成されるソケットを用いることで棒状の部材を両側から挟み込むこととなるから，この構成により棒状の部材を枢動支持する際に棒状体端部における２側面で両端支持することが可能になり，枢動部分の強度の向上に資することは当業者において自明のことである。さらに，製品に求められる一般的課題として強度を向上させるという課題は引用発明２においても当然に内包されることに鑑みれば，甲２には平行な側壁部分により形成されるソケットとすることの示唆等は明示されてなくとも，引用発明２の第１のＵ形ブラケツトにおいて，上記周知の技術である平行な側壁で形成されたソケットとする構成を採用することは，当業者が容易になし得たことである。
　よって，引用発明２に上記相違点２−３に係る構成を採用することは，当業者が適宜になし得たことである。
　
［相違点２−４についての判断］
　引用発明２のコーナー支持部材は方形横断面の形状であるから，これに嵌合するすべりブラケツトの収容部を断面矩形状とすることは当業者が当然に考えることである。
　支柱部材の上端部に端縁シザー組立体及びルーフ支持組立体を枢動可能に保持する枢動部分を取り付けるにあたって，中空の収容部を備えたものとすることも，甲１（第１４図，上固定支えバー軸体４参照）に記載された技術的事項であるところ，引用発明２において第１のＬ形ブラケツトと第１のＵ形ブラケツトとを一体として，中空の収容部を備えるものとすることは，当業者が容易になし得たことである。
　その際に，一体とした部材の形状や厚み等をどのようなものにするかは，用いる各部材との関係や用途，求められる強度等を総合的に参酌して，当業者が適宜決定しうる事項に過ぎず，スライドマウントの方向に向かってソケットを超えて延び出すようにすることも設計的事項に過ぎない（甲３のＦＩＧ．４中の４４（Slide bracket44）参照）。
　よって，引用発明２に上記相違点２−４に係る構成を採用することは，当業者が容易になし得たことである。
　
［相違点２−５についての判断］
　支持部材の下端部が支持面である地面に係合され，上端付近にキャノピーカバー等が配置される骨組構造物において，支持部材の下端部に配置するプレート状部材に貫通孔を設けることは周知技術に過ぎない。（甲１の第１１図及び第１２図参照）
　よって，引用発明２に上記相違点２−５に係る構成を採用することは，当業者が適宜になし得たことである。
　
　ウ　小括
　以上のとおり，本件特許発明１の相違点２−１に係る構成は，引用発明２及び甲１，甲３〜甲１２に基いて，当業者が容易に発明をすることができたものとはいえない。
　よって，本件特許発明１は，引用発明２及び甲１，甲３〜甲１２に基いて，当業者が容易に発明をすることができたものとはいえない。
　
（３）本件特許発明２〜６について
　上記のとおり，本件特許発明１が引用発明２及び甲１，甲３〜甲１２に基いて当業者が容易に発明をすることができたものとはいえない以上，本件特許発明１の構成をすべて含みさらに他の構成要件を付加した本件特許発明２〜６についても，引用発明２及び甲１，甲３〜甲１２に基いて当業者が容易に発明をすることができたものとはいえない。
　
３．甲３に記載された発明に基づく容易性
（１）引用発明３の認定（甲３に記載された発明）
　上記記載事項（３−１）〜（３−１５）及び各図面の記載からみて，甲３には，
「保管のため比較的小さい体積に折り畳み可能であるが，広い表面積を構成するために展開可能なキャノピーシェルターは支持フレームワーク及びキャノピーカバーからなり，キャノピーカバーは地面のようなある表面に対して間隔をおいた関係に保持され，
（ａ）垂直支持体としての脚は，足即ち端部が接する地面にて終端し，端部の反対の上端部を有し，脚は折り畳まれた状態で相互に相並ぶように向けられ，キャノピーシェルターを展開状態にするため，隣接する脚を互いが離れるように動かすものであり，脚は断面矩形状であり，
（ｂ）複数個のシザー組立体を備え，一つのシザー組立体が隣接する脚を相互接続し，各々のシザー組立体が１対の上側にある第一端及び下側にある第一端を有し，隣接する脚を互いが離れるように動かすことにより，シザー組立体は開閉し，それにより支持フレームワークは折り畳まれた状態と展開状態の間を移動することができ，展開状態においてシザー組立体の外側側面全体がキャノピーカバーに覆われ，各々のシザー組立体は，上側の第二端及び下側の第二端において相互に連結されたシザーユニットにより構成され，各シザーユニット間の第二端は脚により支持されておらず，支持フレームワークは展開状態において４個の脚によって支持されており，
（ｃ）脚にスライド可能に受けられたスライドブラケット及び脚の上端部に取り付けられるコーナーブラケットは，横方向へ突出し互いに直角をなす一対のタブを持ち，シザー組立体を構成する矩形状断面のクロスアームの端部が，タブに枢動可能に接続され，タブと平面状の接触面を形成し，
（ｄ）シザー組立体のクロスアームの端部はボルト又はリベットによってタブに枢動可能に取り付けられており，クロスアームの端部の表面には突起が存在せず，シザー組立体のクロスアームは中空であり，
（ｅ）脚にスライド可能に受けられたスライドブラケット及び脚の上端部に取り付けられるコーナーブラケットを有し，スライドブラケットはシザー組立体が開閉するときに脚に沿ってコーナーブラケットに近い位置と遠い位置との間で移動可能であり，
（ｈ）支持フレームワークを折り畳まれた状態から展開状態にし，再度折り畳まれた状態に戻すため，隣接する脚を互いが離れるように動かすことにより，シザー組立体が横方向に展開するときに，スライドブラケットが支持脚に沿って動き，シザー組立体は，端部が矩形状断面の中空のクロスアームにより構成され，タブと平面状の接触面を形成し，
（ｊ）支持フレームワークは内部シザー組立体を含み，内部シザー組立体はシザー組立体へ接続され，内部シザー組立体のポストは脚の上端よりも若干高めにキャノピーカバーの中央を持ち上げる長さを備えて，キャノピーカバーの中央部分は内部シザー組立体のポストで支持され，内部シザー組立体のシザーユニットの端部はポストの上端近傍のタブに枢動可能に接続され，内部シザー組立体のシザーユニットの反対の端部は，シザー組立体に枢動可能に接続され，
（ｋ）脚は，スライドブラケット及びコーナーブラケットと別部材であり，端が接する地面にて終端している支持フレームワーク。」
が記載されていると認められる（以下「引用発明３」という）。
　
（２）本件特許発明１について
　ア　対比
　本件特許発明１と引用発明３を対比する。
　引用発明３における「支持フレームワーク」は，本件特許発明１の「骨組構造体」に相当する。
　以下同様に，「垂直支持体として」の「脚」は「直立した」「支持部材」に，
「地面」は「支持面」に，
「シザー組立体」は「端縁シザー組立体」に，
「シザーユニット」は「シザーユニット」に，
「中空」の「クロスアーム」は「中空部を備える管状構造の」「シザーバー」に，
「スライドブラケット」は「スライドマウント」に，
「コーナーブラケット」は「固定マウント」に，
「ボルト又はリベット」は「締付ピン」に，
「内部シザー組立体」は「ルーフ支持組立体」に，
「内部シザー組立体のシザーユニット」は「ルーフ支持部材」に，それぞれ相当する。
　引用発明３におけるシザー組立体の「１対の上側の第一端」及び「１対の下側の第一端」は，本件特許発明１における「外側上端部」及び「外側下端部」にそれぞれ相当し，引用発明３におけるクロスアームの「上側の第二端」，「下側の第二端」及びシザーユニット間の「第二端」は，本件特許発明１におけるシザーユニットの「上端部」，「下端部」及びシザーユニット間の「連結部」に相当する。
　また，引用発明３のタブはシザー組立体の端部を枢動可能に支持しているから，この枢動可能に支持する部分は本件特許発明１の「ソケット」と，「枢動部分」である点で共通する。
　引用発明３の「内部シザー組立体のシザーユニットの端部はポストの上端近傍のタブに枢動可能に接続され」る点は，本件特許発明１の頂点の「近傍位置において相互に枢動可能に連結され」に相当する。
　引用発明３の「内部シザー組立体のシザーユニットの反対の端部は，シザー組立体に枢動可能に接続され」る点は，本件特許発明１における「各々のルーフ支持部材がその遠位置端部において前記の直立した支持部材上の前記固定マウントの中央部ソケットに枢動可能に連結され」る点と，「ルーフ支持部材がその遠位置端部において枢動可能に連結され」る点で共通する。
　引用発明３の内部シザー組立体のシザーユニットは，ハサミ状の動作をするものであるから，本件特許発明１と同様に「展開状態にあるとき相互に離れて半径方向に外方に延びる」ものである。
　引用発明３の脚の地面にて終端している「端」は，本件特許発明１の支持部材の「下端部」に相当する。
　
　してみれば，本件特許発明１と引用発明３とは，
「折畳まれ，そして折畳まれた状態で保管され，そして支持面上に展開された状態で組みたてられるようになった展開可能な骨組構造体であり，前記支持面の上方にキャノピーカバーを支持することができる骨組構造体において，
（ａ）各々が支持面上に配置可能な下端部と，前記下端部と反対側の上端部とを有する複数個の直立した支持部材を備え，前記支持部材は折畳まれた状態で相互に相並ぶように向けられ，そして展開状態に向かって相互に離れて外方に移動可能であり，各支持部材は断面矩形状であり，さらに，
（ｂ）複数個の端縁シザー組立体を備え，一つの端縁シザー組立体が前記支持部材のうちの隣接した支持部材を相互に連結し，各々の前記端縁シザー組立体が１対の外側上端部および１対の外側下端部を有し，前記端縁シザー組立体は開閉するように作用可能であり，それにより前記骨組構造体は展開状態と収縮状態との間を移動することができ，展開状態において前記端縁シザー組立体の外側側面全体が前記キャノピーカバーで覆われ，各々の前記端縁シザー組立体は上端部及び下端部において相互に連結されたシザーユニットにより構成され，前記シザーユニット間の連結部は構造を補強するための更なる直立した支持部材により前記支持面上に支持されておらず，前記骨組構造体全体が展開状態において４個の直立した支持部材によってのみ支持されており，さらに，
（ｃ）前記の直立した支持部材上に配置されかつ前記端縁シザー組立体を前記支持部材に締め付けるように作用する複数個のマウントを備え，前記マウントは枢動部分を有し，前記端縁シザー組立体の各々は枢動部分に連結される長方形横断面の外側端部を有し，それにより前記の枢動部分と共に平面状の接触面を形成し，さらに，
（ｄ）前記端縁シザー組立体の各々の外側端部をそれぞれの枢動部分に枢動可能に固定する締付ピンを備え，前記枢動部分と接触する前記外側端部表面に突起が存在せず，前記端縁シザー組立体を構成するシザーバーは中空部を備える管状構造であり，
（ｅ）１対の前記マウントが前記の直立した支持部材の各々の上に配置され，前記の１対のマウントの一方が固定マウントであり，そして前記の１対のマウントの他方がスライドマウントであり，前記スライドマウントが前記の直立した支持部材に滑動可能に固定されかつそれぞれの前記端縁シザー組立体が開閉するときに前記支持部材に沿って前記固定マウントに近い位置と前記固定マウントから遠い位置との間に移動可能であり， 
（ｆ）前記固定マウントに一対の枢動部分が直交して形成され，前記スライドマウントに一対の枢動部分が直交して形成され，
（ｈ）前記マウントは前記骨組構造体が展開し，そして収縮するときに前記端縁シザー組立体を開閉させるように相互に関して相対移動可能であり，
（ｊ）骨組構造体が展開状態にあるときに支持面の上方に支持されるルーフ支持組立体を含み，前記ルーフ支持組立体が前記キャノピーカバーを支持するように作用し，前記ルーフ支持組立体が頂点を形成するためにその近位置端部において相互に枢動可能に連結され，かつ展開状態にあるとき相互に離れて半径方向に外方に延びる複数個のルーフ支持部材を含み，各々のルーフ支持部材がその遠位置端部において枢動可能に連結されており，
（ｋ）支持部材の前記下端部各々が，前記支持面と係合する骨組構造体。」
の点で一致し，以下の各点で相違する。
　
［相違点３−１］
　本件特許発明１では，マウントが，隔置された平行な側壁部分により形成され該一対の側壁部分はそれぞれ前記収容部の前記中空部を囲う側壁に平行であるソケットを有し，ソケットの平行な側壁部分は上端部又は下端部において水平な壁部分で相互に連結されており，端縁シザー組立体の外側端部がソケットの側壁部分の間に締り嵌め係合されるように該ソケット内に受け入れられて，平行な側壁部分が平面状の接触面に沿って外側端部に作用して前記端縁シザー組立体の横方向のたわみおよびねじりによるたわみを阻止するのに対して，引用発明３では，マウントは隔置された側壁部分により形成されるソケットを有しておらず，よって，平行な側壁部分は上端部又は下端部において水平な壁部分で相互に連結されておらず，端縁シザー組立体の外側端部はソケットの側壁部分の間に締り嵌め係合されるように前記ソケットのうちのそれぞれの１個のソケット内に受け入れられていないものであり，たわみを阻止するかどうか不明な点。
　
［相違点３−２］
　本件特許発明１では，ルーフ支持組立体は，直立した支持部材により支持されるルーフ支持部材を含み，ルーフ支持部材が固定マウントの中央部に設けた枢動部分に枢動可能に連結されているのに対し，引用発明３では内部シザー組立体のシザーユニット（本件特許発明１の「ルーフ支持部材」）は，コーナーブラケット（同「固定マウント」）に連結されていない点。
　
［相違点３−３］
　ルーフ支持部材を枢動可能に連結する部分が，本件特許発明１では，隔置された平行な側壁部分により形成され前記側壁部分を連結する水平な壁部を有しないソケットであるのに対し，引用発明３では，そのような構成ではない点。
　
［相違点３−４］
　本件特許発明１では，固定マウントが前記支持部材が嵌合される断面矩形状の中空部が形成された収容部を備え，固定マウントの収容部は，支持部材に沿って前記スライドマウントの方向に向かってすべてのソケットを超えて延び出しているのに対して，引用発明３では，コーナーブラケット（本件特許発明１の「固定マウント」）は，支持部材が嵌合される断面矩形状の中空部が形成された収容部を有するかどうか不明である点。
　
［相違点３−５］
　支持部材の下端部の支持面と係合するのが，本件特許発明１では，前記固定マウント及び前記スライドマウントとは別部材であり貫通孔を有するプレート状部材であるのに対し，引用発明３では，どのような部材か特定されていない点。
　
イ　相違点についての判断
［相違点３−１についての判断］
　　上記「相違点１−１についての判断」（ア）で検討したとおり，本件特許発明１は，支持部材の下端部が支持面である地面に係合され，上端付近（支持面の上方）にキャノピーカバー等が配置される骨組構造体であることから，風力等によりシザー要素の横方向の変形及びねじりによる変形を生じ得るという課題を有するものであり，マウント（連結装置）の「平行な側壁部分は上端部又は下端部において水平な壁部分で相互に連結されて」いる構成は，シザー要素の上記の変形を阻止する作用を有するものであり，連結部分の構造を改良・強化することにより，課題を解決する手段であるといえる。
　一方，甲３には，発明の目的として「組立時に強風に耐えうる携帯用キャノピー構造体を提供することにある」ことが記載され，「特に強風の日にキャノピーシェルター１０をさらに安定させるため，脚１６などの各脚は，固定リング１８０を備えている。固定リング１８０には，図１で示すように，地面にくいで固定できる張り綱１８２を取り付ける」ことが記載されている。そうすると，引用発明３は，風圧等によるシザー要素の横方向の変形及びねじりによる変形をも考慮して，構造体の補強を指向するものと一応認められる。しかし，引用発明３の枢動部分は，タブの一側面にクロスアームの側面が接触して枢動可能にされており，平行な側壁部分により形成されるソケットとすることは記載も示唆もされていないところ，甲３には，ソケットの平行な側壁部分が上端部又は下端部において水平な壁部分で相互に連結される構成が，シザー要素の上記変形を阻止する作用を有すること及びそのために連結部分の構造を改良・強化するものであること（本件特許発明１の課題と解決）については，記載も示唆もされていないというべきである。
　また，甲１，甲２，甲５〜甲７，甲９〜甲１２には，ソケットの平行な側壁部分が上端部又は下端部において水平な壁部分で相互に連結されている構成が示されておらず，また，シザー要素の横方向の変形及びねじりによる変形を生じさせるような力に対する考慮も示唆されていない。また，甲４及び甲８には上記構成と同様の構成が示されているが，上記「相違点１−１についての判断］（エ）〜（カ）で検討したとおり，本件特許発明１や引用発明３において想定される，シザー要素の上記の変形を生じさせるような力の作用を考慮した連結装置を開示するものとはいえない。
　以上によれば，甲３には，本件特許発明１のマウントに相当するスライドブラケット，コーナーブラケットの構成により，シザー要素の横方向の変形およびねじりによる変形を阻止する作用を有することは格別記載も示唆もされていないから，甲３に接した当業者が，かかる変形を阻止するために，さらに，上記スライドブラケット，コーナーブラケットの構成を，相違点３−１に係る本件特許発明１の構成とすることに容易に想到するとは言い難い。また，仮に，甲３の記載から，引用発明３における上記スライドブラケット，コーナーブラケットの構成を変更することの示唆を得たとしても，上記のとおり，甲１，甲２，甲４〜甲１２は，ソケットの平行な側壁部分は上端部又は下端部において水平な壁部分で相互に連結された構成は示されていないか，シザー要素の上記の変形を阻止する作用を考慮したものではないから，これらに記載された技術を引用発明３に適用することが容易とはいえない。
　したがって，甲１，甲２，甲４〜甲１２には，骨組み構造のたわみやねじりに対する強度を向上するための枢軸構造として「ソケットの平行な側壁部分の一端を水平な壁部で相互に連結」された構造は開示されていないから，引用発明３において，連結装置を，側壁部分が水平な壁部で相互に連結される構成に置換して，相違点３−１に係る本件特許発明１の構成とすることは困難である。
　これに対し，（ａ）折り畳み可能な骨組構造体の技術分野における通常の知識を有する当業者にとって，折り畳み可能な椅子の骨組構造体に関する技術知識を有していたと合理的に判断でき，その技術知識に基づけば，甲４及び甲８記載の水平な壁部での連結構造を引用発明３に適用するのは容易であるか否か，（ｂ）「側壁部分が水平な壁部で相互に連結される構成」は，たわみを阻止するという作用効果を発揮させる上で特段の意味を持つとはいえず，引用発明３において，強度の向上を図るため当業者により適宜採用される設計事項にすぎないか否かについても，上記［相違点１−１についての判断］（コ）で検討したのと同様に，（ａ）の点につき，当業者が，甲４及び甲８記載の技術知識を有していたとしても，それを引用発明３に適用することを容易に想到し得たとは認められないし，（ｂ）の点につき，連結装置に関して上記構成を採用することを，当業者が適宜採用する設計事項と認めることはできない。
　
［相違点３−２についての判断］
　ルーフ支持組立体を直立した支持部材で枢動可能に支持する形式の骨組構造体は，甲１及び甲２のそれぞれに記載されており，引用発明３及び甲１，甲２はいずれもキャノピーカバーを支持する折り畳み及び展開可能な骨組み構造体に関するものであって技術分野が関連し，キャノピーカバーを支持するものとして機能も共通するものであるから，引用発明３において甲１，甲２のように直立した支持部材でルーフ支持組立体を支持する形式を採用することは，当業者が容易になし得ることである。その際に，固定マウントの端縁シザー組立体を枢動可能に支持する一対の枢動部分の中央に枢動部分を設けることについても，甲１（第１４図，上固定支えバー軸体４参照）に記載された技術的事項であるし，甲２のものは，第１のＵ形ブラケットと第１のＬ形ブラケットは別体の部材ではあるものの，部品を一体に形成することは当業者が適宜行うことに過ぎないから，これらを一体とした固定マウントで枢動可能にする点に困難性を見いだすこともできない。
　よって，引用発明３に上記相違点３−２に係る構成を採用することは，当業者が容易になし得たことである。
　
［相違点３−３についての判断］
　棒状の部材を枢動可能に連結する構成として，平行な側壁で形成されるソケットとこれに枢動可能に連結される棒状の部材とすることは，甲４〜甲１０，甲１２に記載されるように周知の技術である。そして，平行な側壁で構成されるソケットを用いることで棒状の部材を両側から挟み込むこととなるから，この構成により棒状の部材を枢動支持する際に棒状体端部における２側面で両端支持することが可能になり，枢動部分の強度の向上に資することは当業者において自明である。さらに，製品に求められる一般的課題として強度を向上させるという課題は引用発明３においても当然に内包されることに鑑みれば，ルーフ支持組立体を支持する箇所を，上記周知技術である平行な側壁で形成されたソケットとする構成を採用することは，当業者が容易になし得たことである。
　よって，引用発明３に上記相違点３−３に係る構成を採用することは，当業者が容易になし得たことである。
　
［相違点３−４についての判断］
　支柱部材の上端部に設ける支持組立体を枢動可能に保持する枢動部分を取り付けるにあたって，中空の収容部を備えたマウントを用いることは，甲１（第１４図，上固定支えバー軸体４参照）に記載された技術的事項であり，さらに甲３にはポスト１０６の上部ではあるが断面矩形状の中空部を備えた（図６，図７参照）キャップ１１０を設けることが記載されているところ，引用発明３のコーナーブラケットについて，断面矩形状の中空の収容部を備えるものとすることは，当業者が容易になし得たことである。その際，部材の形状や厚み等をどのようなものにするかは，用いる各部材との関係や用途，求められる強度等を総合的に参酌して，当業者が適宜決定しうる事項に過ぎず，スライドマウントの方向に向かってソケットを超えて延び出すようにすることも設計的事項に過ぎない（甲３のＦＩＧ．４中の４４（Slide bracket44）参照）。
　よって，引用発明３に上記相違点３−４に係る構成を採用することは，当業者が容易になし得たことである。
　
［相違点３−５についての判断］
　支持部材の下端部が支持面である地面に係合され，上端付近にキャノピーカバー等が配置される骨組構造物において，支持部材の下端部に貫通孔を設けたプレート状部材を配置することは周知技術に過ぎない（甲１の第１１図及び第１２図参照）。当該部材が，スライドブラケット及びコーナーブラケットと別部材となることは当然である。
　よって，引用発明３に上記相違点３−５に係る構成を採用することは，当業者が適宜になし得たことである。
　
　ウ　小括
　以上のとおり，本件特許発明１の相違点３−１に係る構成は，引用発明３及び甲１，甲２，甲４〜甲１２に基いて，当業者が容易に発明をすることができたものとはいえない。
　よって，本件特許発明１は，引用発明３及び甲１，甲２，甲４〜甲１２に基いて，当業者が容易に発明をすることができたものとはいえない。
　
（３）本件特許発明２〜６について
　上記のとおり，本件特許発明１が引用発明３及び甲１，甲２，甲４〜甲１２に基いて当業者が容易に発明をすることができたものとはいえない以上，本件特許発明１の構成をすべて含みさらに他の構成要件を付加した本件特許発明２〜６についても，引用発明３及び甲１，甲２，甲４〜甲１２に基いて当業者が容易に発明をすることができたものとはいえない。
　
４．甲４に記載された発明に基づく容易性
（１）引用発明４の認定（甲４に記載された発明）
　上記記載事項（４−１）〜（４−６）及び各図面の記載から見て，甲４には，
「開展折畳みせられると共に体積も最小限に縮小せられて携行収蔵に至便である，支持面の上方に座布及び背もたれ布を支持している折畳み式ベンチの骨格であって，
（ａ）各々が支持面上に配置可能な下端と，前記下端の反対側の上端を有する複数の背もたれ管及び伸縮管を備え，背もたれ管及び伸縮管は，折畳み状態で相互に相並ぶように向けられ，そして開展せられるときに相互に離れて外方に移動し，
（ｂ）複数個のクロス脚を備え，ベンチ後側に配置されたクロス脚及びベンチ両側に配置されたクロス脚は，隣接した背もたれ管及び伸縮管を相互に連結するのであり，クロス脚は前後及び横方向自在に開閉し，ベンチ全体を開展折畳みされるようにし，折畳み式ベンチの骨格は４個の背もたれ管及び２個の伸縮管によって支持されており，
（ｃ）後列側の軸受け盤は上下軸受け盤の円形の挿孔に背もたれ管を串通し，その下端を下部軸受け盤の挿孔に固着し，前列左右側端の上下各軸受け盤の挿孔には，伸縮管の上端と下端をそれぞれ固着し，軸受け盤は，隔置された平行な側壁部分により形成された互いに直交する４つの軸受けを有し，クロス脚の各々は軸受けに介装軸支される平行な側壁部分に接する面が平面で平行な側壁部分に接しない面が丸みを帯びた略長方形断面の外側端部を有する軸継ぎ手を嵌着し，
（ｄ）クロス脚の各々の外側端部の軸継ぎ手の突部が軸受け盤に軸受けされ，クロス脚は金属製脚管を枢着したものであり，
（ｅ）後列側の軸受け盤は上下軸受け盤の円形の挿孔に背もたれ管を串通し，その下端を下部軸受け盤の挿孔に固着し，前列左右側端の上下各軸受け盤の挿孔には，伸縮管の上端と下端をそれぞれ固着し，後列側の上側の軸受け盤はクロス脚が開閉するときに背もたれ管に沿って後列側の下側の軸受け盤に近い位置と遠い位置との間に移動可能であり
（ｆ）軸受け盤は，隔置された平行な側壁部分により形成された互いに直交する軸受けを有し，後列下側の軸受け盤は側壁部分の各々の平行な側壁部分が下端部において水平な壁部で相互に連結され，後列上側の軸受け盤は側壁部分の各々の平行な側壁部分が上端部において水平な壁部で相互に連結され，
（ｈ）ベンチを展開折畳みするとき，クロス脚が開閉するよう軸受け盤は相互に対して相対移動可能であり，クロス脚の各々は軸受けの平行な側壁部分に接する面が平面の軸継ぎ手を嵌着する，
（ｋ）折畳み式ベンチの骨格」
の発明が記載されていると認められる（以下「引用発明４」という）。
　
（２）本件特許発明１について
　ア　対比
　本件特許発明１と引用発明４を対比する。
　引用発明４の「背もたれ管」及び「伸縮管」は，本件特許発明１の「支持部材」に相当する。
　以下同様に，「クロス脚」は「端縁シザー組立体」に，
「金属製脚管」は「中空部を備える管状」の「シザーバー」に，
「軸受け盤」は「マウント」に，
「軸受け」は「ソケット」に，
「挿孔」は「収容部」に，
　軸受け盤のうち後列の下側のものは「固定マウント」に，後列の上側のものは「スライドマウント」に，それぞれ相当する。
　また，引用発明４の折畳み式ベンチの「骨格」は，「骨組構造体」の点で本件特許発明１と共通し，引用発明４の「座布及び背もたれ布」は，「カバー」である点で本件特許発明１の「キャノピーカバー」と共通する。
　引用発明４の軸受け盤の直交する４つの軸受けのうち隣り合う２つが，本件特許発明１の「互いに直交する一対のソケット」に相当する。
　引用発明４の軸受けに介装軸支される軸継ぎ手は，その平行な向き合った側壁部分の間に軸継ぎ手の略長方形断面の外側端部が受け入れられており側壁部分と接触する部分は平面状の接触面を形成しているから，本件特許発明１のように「ソケットのうちのそれぞれの１個のソケット内に受け入れられ」「平行な側壁部分と接触する前記外側端部表面に突起が存在せず」「平行な側壁部分と共に平面状の接触面を形成」するものである。
　
　したがって，本件特許発明１と引用発明４は，
「折畳まれ，そして折畳まれた状態で保管され，そして支持面上に展開された状態で組みたてられるようになった展開可能な骨組構造体であり，前記支持面の上方にカバーを支持することができる骨組構造体において，
（ａ）各々が支持面上に配置可能な下端部と，前記下端部と反対側の上端部とを有する複数個の支持部材を備え，前記支持部材は折畳まれた状態で相互に相並ぶように向けられ，そして展開状態に向かって相互に離れて外方に移動可能であり，さらに，
（ｂ）複数個の端縁シザー組立体を備え，一つの端縁シザー組立体が前記支持部材のうちの隣接した支持部材を相互に連結し，各々の前記端縁シザー組立体が１対の外側上端部および１対の外側下端部を有し，前記端縁シザー組立体は開閉するように作用可能であり，それにより前記骨組構造体は展開状態と収縮状態との間を移動することができ，
（ｃ）前記の支持部材上に配置されかつ前記端縁シザー組立体を前記支持部材に締め付けるように作用する複数個のマウントを備え，該各マウントは前記支持部材が嵌合される中空部が形成された収容部を備え，前記マウントの各々は，隔置された平行な側壁部分により形成され，互いに直交する一対のソケットを有し，前記端縁シザー組立体の各々はその平行な向き合った側壁部分の間に係合されるように前記ソケットのうちのそれぞれの１個のソケット内に受け入れられる外側端部を有し，それにより前記の平行な側壁部分と共に平面状の接触面を形成し，さらに，
（ｄ）前記端縁シザー組立体の各々の外側端部はそれぞれのソケット内に枢動可能に固定され，前記平行な側壁部分と接触する前記外側端部表面に突起が存在せず，前記端縁シザー組立体を構成するシザーバーは中空部を備える管状構造であり，
（ｅ）前記マウントが前記の直立した支持部材の各々の上に配置され，固定マウント及びスライドマウントを含み，前記スライドマウントが前記の直立した支持部材に滑動可能に固定されかつそれぞれの前記端縁シザー組立体が開閉するときに前記支持部材に沿って前記固定マウントに近い位置と前記固定マウントから遠い位置との間に移動可能であり，
（ｆ）前記固定マウントに一対のソケットが直交して形成され，該一対のソケットの各々において平行な側壁部分は水平な壁部で相互に連結され，前記スライドマウントに一対のソケットが直交して形成され，該一対のソケットの各々において平行な側壁部分は，水平な壁部で相互に連結され，
（ｈ）前記マウントは前記骨組構造体が展開し，そして収縮するときに前記端縁シザー組立体を開閉させるように相互に関して相対移動可能であり，一方ソケットの平行な側壁部が平面状の接触面に沿って外側端部に作用する
（ｋ）骨組構造体。」
の点で一致し，以下の各点で相違する。
　
［相違点４−１］
　本件特許発明１の骨組構造体は，キャノピーカバーを支持し，展開状態において前記端縁シザー組立体の外側側面全体が前記キャノピーカバーで覆われているものであるのに対し，引用発明４は，折畳みベンチの骨格であり，座布及び背もたれ布を取り付けるものであり，
　これに関連して，本件特許発明１は，支持部材が４個であり，各々の前記端縁シザー組立体はシザーユニットにより構成され，前記シザーユニット間の連結部は直立した支持部材により前記支持面上に支持されていないものであるのに対し，引用発明４では，支持部材は６個であり，各々のクロス脚は相互に連結されたシザーユニットではなく，シザーユニット間の連結部も有しないものであり，
　さらに，本件特許発明１は，直立した支持部材の各々の上に固定マウント及びスライドマウントが配置され，固定マウントのソケットは平行な側壁部分の上端部において水平な壁部で相互に連結され，スライドマウントのソケットは平行な側壁部分の下端部において水平な壁部で相互に連結され，ソケットの平行な側壁部が平面状の接触面に沿って外側端部に作用し，前記端縁シザー組立体の横方向のたわみおよびねじりによるたわみを阻止するものであるのに対し，引用発明４では，背もたれ管及び伸縮管（本件特許発明１の「支持部材」）は直立しているか否か不明で，背もたれ管に配置された１対の軸受け盤は固定された軸受け盤とスライドする軸受け盤であるが，伸縮管に固定されたものは，両者とも固定された軸受け盤で管が伸縮することで，両軸受け盤が近い位置と遠い位置との間に移動可能なものであり，後列下側の軸受け盤（本件特許発明１の「固定マウント」）は側壁部分の平行な側壁部分の下端部で水平な壁部で連結され，後列上側の軸受け盤（同「スライドマウント」）は側壁部分の平行な側壁部分の上端部で水平な壁部で連結されており，たわみを阻止するものであるか不明であり，
　さらに，本件特許発明１のキャノピーカバーを支持するルーフ支持組立体等の構成を有し，固定マウントの各々は中央部のソケットを有して，各々のルーフ支持部材が固定マウントの中央部ソケットに枢動可能に連結されているのに対し，引用発明４は，ルーフ支持組立体及び中央部ソケットの構成を有しておらず，
　さらに，本件特許発明１では，支持部材の前記下端部各々が，前記固定マウント及び前記スライドマウントとは別部材であり，貫通孔を有して前記支持面と係合するプレート状部材を備えるのに対し，引用発明４ではそのような構成を備えていない点。
　
［相違点４−２］
　本件特許発明１は，支持部材は断面矩形状であり，マウントの収容部は収容部が断面矩形状であり，該一対のソケットの側壁部分はそれぞれ前記収容部の前記中空部を囲う側壁に平行であり，前記の固定マウントの前記収容部が，前記支持部材に沿って前記スライドマウントの方向に向かってすべての前記ソケットを超えて延び出しているのに対し，引用発明４では，支持部材は断面矩形状ではなく，軸受け盤の挿孔は円形であり，軸受けの側壁部分は中空部を囲う側壁に対して平行ではなく，軸受け盤の挿孔はソケットを超えて延び出していない点。
　
［相違点４−３］
　本件特許発明１は，端縁シザー組立体の端部が長方形横断面であり，端縁シザー組立体の端部を枢動可能に固定するのは締付ピンで平行な側壁部分の間に締り嵌め係合されるのに対し，引用発明４ではクロス脚の軸継ぎ手の側壁部分に接しない箇所が丸みを帯びた略長方形断面であり，クロス脚は軸継ぎ手の突部で枢動可能に固定される点。
　
　イ　相違点についての判断
［相違点４−１について判断］
　引用発明４は，折畳み式ベンチの骨格，より具体的には記載事項（４−１）に記載されるように「数人で腰掛けせられるベンチ」に関する折畳み式ベンチの骨格に係るものであり，本件特許発明１が対象とするようなキャノピーカバーやルーフ支持組立体を含むいわゆるテントの骨組構造体とは，その根本的な構造を異にするものである。これに伴い，両者の間には種々の構造上の相違が存在するのであり，以下に示すように引用発明４において，相違点４−１に係る構成とすることは困難である。
　すなわち，引用発明４において，上側の軸受け盤はベンチの座布を支持するもので，ベンチ後ろ側の背もたれ管の上側の軸受け盤は背もたれ管に対してスライド可能になっているが，ベンチ前側の伸縮管の軸受け盤は伸縮管の上端及び下端に固定されて伸縮管自身が，折畳み状態には伸張し，展開状態では縮小することで，軸受け盤が相対的に近い位置と遠い位置に移動可能になっている。これは，ベンチ前側の伸縮管については，ベンチの使用時において管が突出してベンチ使用の妨げにならないように配慮する一方，ベンチ後ろ側の背もたれ管についてはベンチ使用時に背もたれ布を支持する必要があるため管自身を伸縮することはせず，座布を支持する背もたれ管の上側の軸受け盤はその位置を移動させるためにスライドされるようにしたきわめて合理的な構成である。してみれば，引用発明４の伸縮する伸縮管（本件特許発明１の「支持部材」）に固定した上側の軸受け盤と背もたれ管にスライド可能にした上側の軸受け盤とする構成を，伸縮管の軸受け盤についてもスライド可能として，本件特許発明１のように支持部材の各々の上に配置される一対のマウントの一方を固定マウントとし，他方をスライドマウントとするような構成にすることはおよそ想定できないものである。
　また，引用発明４では，背もたれ管については，上述のようにスライドされる軸受け盤が座布を支持されるようになっているから，一対のマウントの一方を固定マウントとして他方をスライドマウントとする構成を含んでいるものの，固定マウントに相当する構成を下側に，スライドマウントに相当する構成を上側にする構成であり，ソケットの平行な側壁部分を連結する水平な壁部は，上側の軸受け盤（本件特許発明１の「スライドマウント」）については上端部に，下側の軸受け盤（同「固定マウント」）については下端部に設けられている。これは，引用発明４のクロス脚を枢動可能とするために，下側の固定マウントでは上方向に，上側のスライドマウントでは下方向に移動可能な空間を設ける必要があるためであり，本件特許発明１のように固定マウントの上端部，スライドマウントの下端部において水平な壁部を設ける構成とすることは，クロス脚の枢動運動を妨害することとなるから，およそ想定できないものである。
　また，本件発明では支持部材は４本のみで，端縁シザー組立体はシザーユニットが連結したもので構成され隣接する支持部材を相互に連結するものであるが，引用発明４のクロス脚は１つユニットを連結して構成されたものではなく，また支持部材も背もたれ管が４本，伸縮管が２本の６本の支持部材となっている。このように背もたれ管が４本となっているのは，引用発明４では「数人で腰掛けせられるベンチ」を前提として，背もたれ管の位置で背もたれ布を区画可能として隣接して腰掛ける使用者同士の境界を明確化することや，背もたれ管を複数として背もたれ布の支持間隔を短くすることで，使用者が背もたれ布にもたれかかった際の強度の確保等の作用を有するものと考えられ，引用発明４における４本の背もたれ管を，あえて２本とすることは考え難いものである。仮に引用発明４のものを一人掛けの折畳みベンチとすることは着想し得るものであり，その際には支持部材を４本とすることは想定できるとしても，引用発明４のクロス脚はひとつのユニットで隣接する支持部材を相互に連結するものとなり，本件特許発明１のように隣接する支持部材を連結する端縁シザー組立体をシザーユニットが連結する構成とすることは想定できないものである。
　また，引用発明４は折畳み式ベンチであるところ，本件特許発明１のようなルーフ（屋根）支持組立体を必要としないものであるから，引用発明４においてルーフ支持組立体を設ける動機付けは見いだせないものである。仮に引用発明４においてルーフ支持組立体を設けるという動機付けがあったとしても，上述のように固定マウントは下方に位置し，その上方にはベンチの骨格構造や座布等が配置されているのであるから，本件特許発明１のように固定マウントに中央部ソケットを設け，当該中央部ソケットにルーフ支持部材を枢動可能に連結することは想定できないものである。
　また，引用発明４の背もたれ管及び伸縮管の下端部は軸受け盤（本件特許発明１の「固定マウント」）で終端しており，これとは別体の貫通孔を有するプレート状部材とすることについて，記載も示唆もされていないし，甲１〜３，甲５〜甲１２にも引用発明４の折畳み式ベンチの下端部の軸受け盤を，軸受け盤とは別体の貫通孔を有するプレート状部材とすることについての示唆を見いだすことはできない。
　よって，引用発明４において相違点４−１の構成を採用することはできない。
　
［相違点４−２についての判断］
　引用発明４における軸受け盤の挿孔（本件特許発明１の「収容部」）は丸形とされているが，軸受け盤はクロス脚の金属製脚管に対して周方向の運動を必要としないものであることを勘案すれば，特に挿孔及び金属製脚管を断面丸形とする理由はないから，矩形形状とすることも当業者が適宜なし得ることであり，その際に軸受け盤の平行な側壁部分を軸受け盤の挿孔を囲う側壁に平行とすることは，単なる設計的事項に過ぎない。
　部材の形状や厚み等をどのようなものにするかは，用いる各部材との関係や用途，求められる強度等を総合的に参酌して，当業者が適宜決定しうる事項に過ぎず，軸受け盤の挿孔をソケットを超えて延び出すようにすることも設計的事項に過ぎない（甲３のＦＩＧ．４中の４４（Slide bracket44）参照）。
　よって，引用発明４に上記相違点４−２に係る構成を採用することは，当業者が容易になし得たことである。
　
［相違点４−３についての判断］
　引用発明４ではクロス脚Ｘの軸継ぎ手の側壁部分に接しない丸みを帯びた面について，平面とすることは単なる設計的な事項に過ぎない。また，１対の平行な側壁部分の間に枢動される部材を固定するにあたり，締付ピンで固定することは甲１（第１３図，第１４図，第１８図），甲７（第２１図）に示されており，引用発明４における軸継ぎ手の軸部分をこれら締付ピンとして締り嵌め係合とすることに何ら困難性は見いだせない。
　よって，引用発明４において，相違点４−３に係る構成を採用することは当業者が容易になし得たことである。
　
　ウ　小括
　以上のとおり，本件特許発明１の相違点４−１に係る構成は，引用発明４及び甲１〜甲３，甲５〜甲１２に基いて，当業者が容易に発明をすることができたものとはいえない。
　よって，本件特許発明１は，引用発明４及び甲１〜甲３，甲５〜甲１２に基いて，当業者が容易に発明をすることができたものとはいえない。
　
（３）本件特許発明２〜６について
　上記のとおり，本件特許発明１が引用発明４及び甲１〜甲３，甲５〜甲１２に基いて当業者が容易に発明をすることができたものとはいえない以上，本件特許発明１の構成をすべて含みさらに他の構成要件を付加した本件特許発明２〜６についても，引用発明４及び甲１〜甲３，甲５〜甲１２に基いて当業者が容易に発明をすることができたものとはいえない。
　
５．記載不備
　記載不備について請求人が主張する点は，訂正前の請求項１３について，「前記の上側中央ソケットおよび下側中央ソケット」と記載されているが，上側中央ソケット及び下側ソケットに関して，請求項のいずれにも記載がないから，特許を受けようとする発明が不明確であるというものである。
　しかしながら，訂正により請求項１３は削除されており，さらに訂正後の請求項１〜６にも「前記の上側中央ソケットおよび下側中央ソケット」との記載はないので，請求人の上記主張は理由がない。なお，訂正前の請求項１３の記載不備は解消されたとの点については，当事者において争いはない（第１回口頭審理調書　請求人の陳述の要領の４参照）。
　
第８．むすび
　以上のとおりであるから，請求人の主張及び証拠方法によっては，本件特許を無効とすることができない。
　審判に関する費用については，特許法第１６９条第２項の規定で準用する民事訴訟法第６１条の規定により，請求人が負担すべきものとする。
　
　よって，結論のとおり審決する。